(57)【要約】      （修正有）【課題】金属磁石による一定以上の強い吸磁力で装身具を確実に止めることができ、盗難等に対する安全性を高め、使用者への装着性が良く、使用者自身による装着性が良好な装身具を提供する。【解決手段】柔軟性材料により構成されて捩りおよび湾曲ができる紐状のチューブ１２内に複数の円柱形の金属製磁石１３，１４，１５を挿入し、Ｎ極とＳ極とを円柱の外周面に交互に配置した装身具本体（磁石内蔵紐状体１１）と、この装身具本体の一端側と他端側とを平行に揃えた状態で装身具本体（磁石内蔵紐状体１１）の両端側を固定することができる止め具とを備える。【選択図】  図２
2007144016.tif 000002
【特許請求の範囲】
【請求項１】
柔軟性材料により構成されて捩りおよび湾曲ができる紐状のチューブ内に複数の円柱形の金属製磁石を挿入し、これらの磁石のＮ極とＳ極とを円柱の外周面に交互に配置した装身具本体と、この装身具本体の一端側と他端側とを平行に揃えた状態で前記装身具本体の両端側を固定することができる止め具とを備えたことを特徴とする装身具。
【請求項２】
柔軟性材料により構成されて捩りおよび湾曲ができる紐状のチューブ内に複数の円柱形の金属製磁石を挿入し、これらの磁石のＮ極とＳ極とを円柱の外周面に交互に配置した装身具本体と、この装身具本体の一端側と他端側とを平行に揃えた状態で前記装身具本体の両端側を固定することができる着脱可能な止め具とを備えたことを特徴とする装身具。
【請求項３】
柔軟性材料により構成されて捩りおよび湾曲ができる紐状のチューブ内に複数の円柱形の金属製磁石を挿入し、これらの磁石のＮ極とＳ極とを円柱の外周面に交互に配置した装身具本体と、この装身具本体の一端側に固定され当該装身具の一端側と他端側とを平行に揃えた状態で他端側を固定することができる止め具とを備えたことを特徴とする装身具。
【発明の詳細な説明】
【技術分野】
【０００１】
本発明は身体に巻き付けて使用するネックレス等の装身具に係り、特に磁石を内臓した紐状の装身具本体と、この装身具本体を身体に容易に装着することができるとともに装身具本体の装着状態を確実に保持することができる止め具とを備えた装身具に関するものである。
【背景技術】
【０００２】
一般にネックレス等の装身具の装身具本体は紐状に構成されており、この装身具本体の両端には互いに組み合って着脱可能に係止できる１組の鉤等からなる止め具が設けられている。このような装身具を身体の首等に装着する場合には、使用者が装身具本体の両端を手に持って、装身具本体の中間部分を首の後方に配置した後、両端を首の前方に回し込んで巻き付け、その後に装身具本体の両端に設けられた鉤等の止め具を係止する。これにより、装身具本体が首周りにリング状に巻回され閉じた状態となる。
【０００３】
装身具の止め具には種々の構成のものがあり、例えば装身具本体の一端側に出没できるピンを設ける一方、他端側に輪を設け、この輪にピンを通すことにより両者を係止させる構成のもの、あるいは装身具本体の一端側に開閉できる輪を設け、この輪に装身具本体の他端側を挿通させて任意の径のリング状にして装着できる構成としたもの等がある。
【０００４】
通常、これらの止め具は装身具の装飾効果に影響しないように小形な構成、例えば指で漸く摘むことができる程度の小さい構成とされている場合が多い。このような止め具の場合、若者や高視力保持者、手指の感覚が良好な人等については装身具の装着および取外し操作等に支承のないことが多いが、高齢者や低高視力者、手指感覚が良くない人等については装身具の装着および取外し等の操作に困難を生じることがある。
【０００５】
これに対し、従来では装身具の装着操作を容易に行えるように、ネックレス等の止め手段として磁石を用いる構成のものがある。例えば、紐状体の材料に磁石粉末を混入し、射出成形や押出成形によりプラスチックマグネット、あるいはゴム磁石として構成したものが提案されている（例えば、特許文献１、２等参照）。
【０００６】
一方、装身具の止め手段として吸磁力が高い金属磁石を用いた止め具を装身具本体の本体部分と別に作り、この金属磁石を用いた止め具を外部から本体部分に組込む等、磁石を用いた装身具について、装身具本体を止め具によって保持する構成についても開示されている（例えば、特許文献３、４等参照）。
【０００７】
【特許文献１】特開２００２−１１９３１３号公報
【特許文献２】特開平１０−１６５２１１号公報
【特許文献３】特開２００３−２１０２１５号公報
【特許文献４】特開２００４−１６６８０９号公報
【発明の開示】
【発明が解決しようとする課題】
【０００８】
上述の特許文献１，２等に記載されたプラスチックマグネットやゴム磁石では、磁石材料を含有する量に制約があるため、得られる吸磁力が３００ガウス程度と低い。このため、装身具の止め手段に適用した場合に強力な止着を行うことができず、人力による引張り作用で容易に外れる。したがって、このような外れ易い装身具を例えば老人等が装着している場合、他人が装着者から装身具を引き剥がすという盗難の被害が増加する傾向にある。
【０００９】
一方、装身具の止め手段として吸磁力が高い金属磁石を用いた止め具を装身具本体の本体部分と別に作り、この金属磁石を用いた止め具を外部から本体部分に組込む構成も知られている。しかし、この場合には磁石の吸磁力が過度に強くなり、利用者自身が装身具を外しにくくなる等、使用上での不便を生じることがある。
【００１０】
本発明はこのような事情に鑑みてなされたものであり、金属磁石による一定以上の強い吸磁力で装身具を確実に止めることができ、盗難等に対する安全性を高めるとともに、使用者への装着性が良く、しかも使用者自身による装着および取外し性が良好な装身具を提供することを目的とする。
【課題を解決するための手段】
【００１１】
前記の目的を達成するために、請求項１の発明では、柔軟性材料により構成されて捩りおよび湾曲ができる紐状のチューブ内に複数の円柱形の金属製磁石を挿入し、これらの磁石のＮ極とＳ極とを円柱の外周面に交互に配置した装身具本体と、この装身具本体の一端側と他端側とを平行に揃えた状態で前記装身具本体の両端側を固定することができる止め具とを備えたことを特徴とする装身具を提供する。
【００１２】
請求項２に係る発明では、柔軟性材料により構成されて捩りおよび湾曲ができる紐状のチューブ内に複数の円柱形の金属製磁石を挿入し、これらの磁石のＮ極とＳ極とを円柱の外周面に交互に配置した装身具本体と、この装身具本体の一端側と他端側とを平行に揃えた状態で前記装身具本体の両端側を固定することができる着脱可能な止め具とを備えたことを特徴とする装身具を提供する。
【００１３】
請求項３に係る発明では、柔軟性材料により構成されて捩りおよび湾曲ができる紐状のチューブ内に複数の円柱形の金属製磁石を挿入し、これらの磁石のＮ極とＳ極とを円柱の外周面に交互に配置した装身具本体と、この装身具本体の一端側に固定され当該装身具の一端側と他端側とを平行に揃えた状態で他端側を固定することができる止め具とを備えたことを特徴とする装身具を提供する。
【発明の効果】
【００１４】
本発明によれば、柔軟性で捩りおよび湾曲ができる紐状チューブ内に長さ方向に沿って複数の円柱形の金属製磁石を直列配置で挿入し、各磁石のＮ極とＳ極とを円柱の互いに反対側の外周面に配置した構成とすることにより、金属磁石による一定以上の強い吸磁力で装身具本体を確実に止めることができ、しかも止め具により一層確実に止めることができ、盗難等に対する安全性を高めるとともに、使用者への装着性が良く、しかも使用者自身による装着および取外し性が良好な装身具を盗難等に対する安全性を高め、使用者への装着性が良く、しかも使用者自身による装着および取外し性が良好な装身具を提供することができる。
【発明を実施するための最良の形態】
【００１５】
以下、本発明に係る装身具の実施形態について図面を参照して説明する。なお、以下の実施形態では、本発明の装身具をネックレスに適用した場合を例として説明する。ただし、ネックレス以外の装身具、例えばブレスレット、ベルト、その他の各種のリング状装身具として適用することができる。
［第１実施形態（図１〜図１１）］
図１は、本発明の第１実施形態による装身具の装身具本体の基本構成部分である磁石内臓紐状体の部品構成を示す分解斜視図である。この図１に示すように、本実施形態の磁石内臓紐状体１１は、両端が開口する１本の紐状のチューブ１２と、このチューブ１２内に挿入される複数個の磁石１３‥，１４‥,１５‥と、チューブ１２の一端側開口部１８を塞ぐ一端側キャップ１６と、チューブ１２の他端側開口部１９を塞ぐ他端側キャップ１７とにより構成されている。
【００１６】
まず、チューブ１２は磁石内臓紐状体１１を装着する使用者の首周りに装着できる所定長さに設定されており、柔軟性のある合成樹脂またはゴム質等の柔軟性材料により円管状に構成されている。この構成により、チューブ１２は長手方向に沿う両端部間において軸心周りに相対的に１８０°以上、容易に捩ることができるとともに、使用者の首周りに沿って巻き付けて容易に湾曲することができ、リング形状とすることができるようになっている。なお、チューブ１２の引張り強度は人力によって容易に破断されない程度であることが望ましい。また、チューブ１２は例えば透明体、半透明体または着色体等、種々の装飾的効果を奏するものであることが望ましい。
【００１７】
次に、磁石１３‥はチューブ１２の一端側開口部１８内に挿入される複数の一端側磁石である。これらの一端側磁石１３‥は、径および長さが同一の円柱状に構成されており、チューブ１２の一端側開口部１８内に挿入される場合には、チューブ１２の円管の中心部と一端側磁石１３‥の中心部とが一致する状態となる。また、各一端側磁石１３‥はチューブ１２の長さ方向に沿い、軸方向端部がそれぞれ向き合う直列配置で挿入される。これらの一端側磁石１３‥は強力な吸磁力（例えば２０００ガウス）を有する金属磁石、例えばフェライト磁石とされている。
【００１８】
また、磁石１４‥は、チューブ１２における一端側磁石１３‥が挿入された端部と反対側の端部、すなわちチューブ１２の他端側開口部１９内に挿入される複数の他端側磁石である。これらの他端側磁石１４‥も、一端側磁石１３‥と同様に、径および長さが同一の円柱状のものであり、チューブ１２内の長さ方向に沿い、軸方向端部がそれぞれ向き合う直列配置で挿入される。そして、これらの他端側磁石１４‥も、一端側磁石１３‥と同様に、強力な吸磁力（例えば２０００ガウス）を有する金属磁石、例えばフェライト磁石とされている。
【００１９】
これらの一端側磁石１３‥および他端側磁石１４‥は、チューブ１２を使用者の首周りに巻き付けた状態において、チューブ１２の一端側開口部１８と他端側開口部１９とが重合または交差する部分で相互に吸引力を発生するものとなる。
【００２０】
さらに、磁石１５‥は、チューブ１２内における一端側磁石１３‥および他端側磁石１４‥が挿入される部分以外の部分、すなわちチューブ１２内の中間部分に挿入される複数の中間側磁石である。これらの中間側磁石１４‥も一端側磁石１３‥および他端側磁石１４‥と同様に、径および長さが同一の円柱状のものであり、チューブ１２内の長さ方向に沿い、軸方向端部がそれぞれ向き合う直列配置で挿入される。なお、これらの中間側磁石１４‥が使用者の首周りに専ら配置され、チューブ１２の止め手段として機能しない部分である場合には、必ずしも強力な吸磁力を必要としない。ただし、使用状態によってチューブ１２の止め手段として機能する部分となる場合には、一端側磁石１３‥および他端側磁石１４‥と同様に、フェライト磁石等の強力な吸磁力（例えば２０００ガウス）を有する金属磁石とすることが望ましい。
【００２１】
また、一端側キャップ１６は、チューブ１２の外径と同一径の半球状キャップ本体部２０と、チューブ１２の孔径と同一径でキャップ本体部２０の平坦面から突出する円柱状の挿入部２１とから構成されている。そして、この一端側キャップ１６の円柱状の挿入部２１を、チューブ１２の一端側開口部１８に挿入することにより、この一端側開口部１８をキャップ本体部２０によって閉塞することができるようになっている。  同様に、他端側キャップ１７は、チューブ１２の外径と同一径の半球状キャップ本体部２２と、チューブ１２の孔径と同一径でキャップ本体部２２の平坦面から突出する円柱状の挿入部２３とから構成されている。そして、この他端側キャップ１７の円柱状の挿入部２３を、チューブ１２の他端側開口部１９に挿入することにより、この他端側開口部１９をキャップ本体部２２によって閉塞することができるようになっている。
【００２２】
図２は、図１に示した部品を磁石内臓紐状体１１として組立てた状態を示す全体断面図である。この図２には、磁石内臓紐状体１１を逆Ｕ字形に湾曲した状態を示している。図２に示すように、チューブ１２の一端側開口部１８内には複数個の一端側磁石１３が直列配置で挿入されるとともに、チューブ１２の他端側開口部１９内には複数個の他端側磁石１４が直列配置で挿入されている。また、チューブ１２内における磁石１３，１４が挿入された一端側開口部１８と他端側開口部１９以外の部分、すなわち中間部分には、複数個の中間側磁石１５が直列配置で挿入されている。このように、一端側磁石１３，他端側磁石１４および中間側磁石１５がチューブ１２の長さ方向全範囲に配置されている。
【００２３】
なお、一端側磁石１３，他端側磁石１４および中間側磁石１５の軸方向端面が相互に密接状態で挿入されると、これらの端面が傾くスペース的余裕がなく、ひいてはチューブ１２を湾曲させることができない。そこで、各一端側磁石１３相互間、各他端側磁石１４相互間およびこれらと中間側磁石１５との間、ならびに中間側磁石１５相互間にはそれぞれ所定の隙間が確保され、これにより一端側磁石１３，他端側磁石１４および中間側磁石１５が互いに傾くことができ、ひいてはチューブ１２を湾曲させることができるようになっている。
【００２４】
また、チューブ１２の一端側開口部１８と他端側開口部１９とは、一端側キャップ１６と他端側キャップ１７とによってそれぞれ塞がれ、接着またはネジ構造等により固定されている。これにより、チューブ１２の一端側キャップ１６および他端側キャップ１７から一端側磁石１３および他端側磁石１４等が脱落することが防止されている。
【００２５】
図３は、磁石内臓紐状体１１の外周面に設けられる外皮２５を加えた装身具本体２４の全体構成を示す分解斜視図である。
【００２６】
この図３に示すように、外皮２５は例えば金、銀、プラチナ、その他の貴金属、または装飾効果を施した可撓性の各種線材等からなる繊維を編組して構成した円筒状のメッシュ部材である。この外皮２５は、磁石内臓紐状体１１のチューブ１２のほぼ全体を被覆する大きさに構成されており、軸方向一端側に一端側開口部２９が形成されるとともに、他端側には他端側開口部３０が形成されている。
【００２７】
この外皮２５の一端側開口部２９および他端側開口部３０に対し、これらを閉塞する手段として、一端側開口部２９を塞ぐ一端側外キャップ２６と、他端側開口部１９を塞ぐ他端側外キャップ２７とが備えられている。
【００２８】
一端側外キャップ２６は、外皮２５の外径とほぼ一致する内径をもつ一端閉塞の短円筒状をなすものであり、他端にあけた開口部３１を外皮２５の一端側開口部２９の外周側に嵌合できる構成となっている。
【００２９】
また、他端側外キャップ２７も、外皮２５の外径とほぼ一致する内径をもつ一端閉塞の短円筒状をなすものであり、他端にあけた開口部３２を外皮２５の他端側開口部３０の外周側に嵌合できる構成となっている。
【００３０】
このような構成において、磁石内臓紐状体１１と外皮２５とを組合せる場合には、図３に矢印で示すように、磁石内臓紐状体１１の一端側を外皮２５内に他端側開口部３０側から挿入した後、さらにスライド移動させて磁石内臓紐状体１１の一端側を外皮２５の一端側開口部２９の端部位置に一致させる。この後、外皮２５の一端側開口部２９に一端側外キャップ２６を被せて接着等により固定するとともに、外皮２５の他端側にも他端側外キャップ２７を被せて接着等により固定する。
【００３１】
図４は、以上の操作によって組立てが完成した装身具本体２４の全体構成を示す斜視図である。この図４に示すように、装身具本体２４は磁石内臓紐状体１１のチューブ１２の外周側に筒状のメッシュ部材である外皮２５を被覆した構成となり、外皮２５のメッシュ部分の隙間から磁石内臓紐状体１１のチューブ１２の外周面が見える構成となっている。そして、磁石内臓紐状体１および外皮２５の一端側は、一端側外キャップ２６の開口部３１内に挿入されて外側から覆われた状体となり、また磁石内臓紐状体１および外皮２５の他端側は、他端側外キャップ２７の開口部３２内に挿入されて外側から覆われた状体となる。
【００３２】
図５は、図４のＡ−Ａ線断面図（装身具本体２４の軸方向任意位置での軸直角断面図）である。この図５に示すように、装身具本体２４の径方向中心位置には磁石内臓紐状体１１の一端側磁石１３，他端側磁石１４および中間側磁石１５が配置されている。そして、これらの一端側磁石１３，他端側磁石１４および中間側磁石１５の外周側に、磁石内臓紐状体１１のチューブ１２が配置され、さらにチューブ１２の外周側には外皮２５が配置されている。
【００３３】
このような構成により、最外周に配置された外皮２５のメッシュ部分の隙間から、磁石内臓紐状体１１のチューブ１２の外周面が見え、さらに磁石内臓紐状体１１のチューブ１２、一端側磁石１３，他端側磁石１４および中間側磁石１５および中間側磁石１５を含めた装身具本体２４が一体的に湾曲することができることが明らかとなっている。
【００３４】
図６は、図４のＢ−Ｂ線断面図（装身具本体２４の軸方向一端側での軸直角断面図）である。この図６に示すように、装身具本体２４の軸方向一端側においては、径方向中心位置に磁石内臓紐状体１１の一端側磁石１３が配置されている。そして、これらの一端側磁石１３の外周側に、チューブ１２、外皮２５および一端側外キャップ２６が配置されている。
【００３５】
このような構成により、装身具本体２４の軸方向一端側では一端側外キャップ２６により、一端側磁石１３、チューブ１２、外皮２５および一端側外キャップ２６が一体的に固定されていることが明らかとなっている。
【００３６】
なお、図示しないが、装身具本体２４の軸方向他端側の構成においても図６と同様に、径方向中心位置に磁石内臓紐状体１１の他端側磁石１４が配置されている。そして、これらの他端側磁石１４の外周側に、外皮２５および他端側外キャップ２７が配置されている。そして、装身具本体２４の軸方向他端側でも、他端側外キャップ２７により、一端側磁石１３、外皮２５および他端側外キャップ２７が一体的に固定されている。
【００３７】
図７は、本発明の第１実施形態による装身具の止め具４０を示す斜視図である。この止め具４０は、図１〜図６に示した装身具本体２４の一端側と他端側とを平行に揃えた状態で装身具本体２４の両端側を固定することができる着脱可能な構成とされている。
【００３８】
すなわち、図７に示すように、止め具４０は鰐口クリップ状をなすもので、一対の挟み片４１および挟み片４２をヒンジ軸４３によって開閉可能に連結した構成とされている。一方の挟み片４１は一定幅の湾曲片として構成されており、この一方の挟み片４１は装身具本体２４の一端側の外周面の略半分を外側から押えて止めるための半円弧板状の一端側止め部３９と、装身具本体２４の他端側の略半分を外側から押えて止めるための半円弧板状の他端側止め部４４とが隣接する一体の湾曲板となっている。一端側止め部３９の外側端部の一側部には、板幅方向に沿う貫通孔が形成されたヒンジ筒４６が一体に設けられ、一端側止め部３９の外側端部の他側部には、板幅方向に沿う貫通孔が形成された別のヒンジ筒４７がヒンジ筒４６と一定の間隔をあけて同軸上に連設されている。一端側止め部３９の凹面側と他端側止め部４４の凹面側との間には、平坦面状の中間閉じ部４８が形成されている。他端側止め部４４の外側端部には、平板状の開閉側端部４５が一体に形成されている。この開閉側端部４５にはピン軸５０が突設されており、ピン軸５０の先端には大径頭部５１が形成されている。
【００３９】
他方の挟み片４２は一方の挟み片４１とほぼ同様の形状をなしており、一定幅の湾曲片として構成されている。この他方の挟み片４２は装身具本体２４の一端側の外周面の略半分を外側から押えて止めるための半円弧板状の一端側止め部５２と、装身具本体２４の他端側の略半分を外側から押えて止めるための半円弧板状の他端側止め部５３とが隣接する一体の湾曲板となっている。一端側止め部５２の外側端部の一側部には、板幅方向に沿う貫通孔が形成されたヒンジ筒５５が一体に設けられ、このヒンジ筒５５は、一方の挟み片４１のヒンジ筒４６とヒンジ筒４７との間に同軸で配置されている。これらのヒンジ筒４６、ヒンジ筒５５およびヒンジ筒４７には、１本のヒンジ軸４６が通され、このヒンジ軸４６を中心として、一方の挟み片４１と他方の挟み片４２とが回動できるようになっている。
【００４０】
他方の挟み片４２においても一方の挟み片４１と同様に、一端側止め部５２の凹面側と他端側止め部５３の凹面側との間に、平坦面状の中間閉じ部５６が形成されている。他端側止め部５３の外側端部には、平板状の開閉側端部５４が一体に形成されている。この開閉側端部５４にはピン軸５０と係合できるピン受け５７が突設されている。このピン受け５７は、互いに対向する円弧状の一方のピン軸保持片５８と他方のピン軸保持片５９とを有し、これら一方のピン軸保持片５８と他方のピン軸保持片５９との先端部間には開口部６０が形成されている。これら一方のピン軸保持片５８と他方のピン軸保持片５９とは弾性を有し、ヒンジ軸４３を中心として一方の挟み片４１と他方の挟み片４２とを閉じるように回動させた場合にピン軸５０の先端の大径頭部５１が挿通されて嵌合でき、この挟み片４１、４２とピン軸５０との嵌合により、一定以上の引き離し力が与えられない限り、両挟み片４１、４２が嵌着状態に維持できるようになっている。
【００４１】
図８は、装身具本体２４を止め具４０によって止める場合の使用状態を示す説明図である。この図８に示すように、装身具本体２４をＵ字状に湾曲させ、止め具４０に対して装身具本体２４の一端側６１と他端側６２とを互いに接近させる。なお、装身具本体２４の一端側６１の先端には外キャップ２７があり、装身具本体２４の他端側６２の先端には外キャップ２６がある。装身具本体２４の一端側６１および外キャップ２７は、止め具４０の挟み片４１の凹面側に通される。また、装身具本体２４の他端側６２および外キャップ２６は、止め具４０の他端側止め部４４の凹面側に通される。そして、ヒンジ軸４３を中心として、開閉部５４側を開閉側端部４５向けて回動し、止めピン４９にピン受け５７を嵌合させる。
【００４２】
図９は、装身具の止め状態を拡大して示す説明図である。この図９に示すように、装身具本体２４の一端側６１の外キャップ２７と、他端側６２の外キャップ２６とは、一端側と他端側とを互い違いの方向から平行に揃えた状態で接近し、重合状態となる。そして、止め具４０はヒンジ軸４３を中心として回動して互いに閉じ、止めピン４９とピン受５７とが結合し、大径頭部５１によって係止される。装身具本体２４の一端側６１と他端側６２とは、一端側止め部５２と他端側止め部５３とによりそれぞれ固定保持される。
【００４３】
図１０は、本発明の第１実施形態による装身具の止め具の使用状態を示す説明図である。この図１０の例では、装身具本体２４を装着者６３の首６４周りに装着し、装身具本体２４の一端側６１と他端側６２とを首６４の後方で重合させて磁力により係止する装着方法について、装着者６３の前方から見た状態で説明する。
【００４４】
この装着方法を使用する場合には、まず装着者６３が一方の手（右手）で装身具本体２４の一端側６１を把持し、他方の手（左手）で装身具本体２４の他端側６２を把持する。そして、装身具本体２４を装着者６３の首６４の前側下方（顎下）から上方に徐々に持上げ、装身具本体２４の両端を肩６５の上方を介して首６４の後方に回し込む。この後、装身具本体２４の一端側６１と他端側６２とを重合させるようにする。
【００４５】
すると、装身具本体２４の一端側６１と他端側６２とは、互いに一定距離接近した位置に移動された途端に、吸磁力によって即座に接着状態となる。すなわち、装着者６３が首６４の後方に装身具本体２４の一端側６１と他端側６２とを近付けるだけで容易かつ迅速に、しかも強力な磁力により装着固定される。この状態において、図８および図９に示したように、止め具４０によって装身具本体２４の一端側６１と他端側６２とｋを固定する。これにより、着脱可能な止め具４０によって装身具本体２４を容易に装着固定することができ、しかも装着状態は強固となり、引き剥がし等により脱落するおそれはない。
【００４６】
図１１は、装身具本体２４の一端側６１と他端側６２との首６４の後側における重合部を拡大して示す部分断面図であり、装身具本体２４の一端側６１と他端側６２とにおける磁石内臓紐状体１１内の磁石構造および吸着作用を示している。図１１に示すように、装身具本体２４の一端側６１と他端側６２との重合部において、一端側６１の磁石内臓紐状体１１内には、一端側外キャップ２６側から例えば４個の一端側磁石１３（１３ａ，１３ｂ，１３ｃ，１３ｄ）が直列に配置されている。これらの磁石１３（１３ａ，１３ｂ，１３ｃ，１３ｄ）は上述したように、それぞれ円柱状に構成されており、各磁石１３（１３ａ，１３ｂ，１３ｃ，１３ｄ）のＮ極（Ｎ）とＳ極（Ｓ）とは、円柱の互いに反対側の外周面に配置されている。そして、各磁石１３（１３ａ，１３ｂ，１３ｃ，１３ｄ）の互いに隣接するもの同士のＮ極（Ｎ）とＳ極（Ｓ）とが、互い違いの向きに配置されている。具体的には、装身具本体２４の一端側外キャップ２６側に最も接近した端部側配置の一端側磁石１３ａの、Ｎ極（Ｎ）が下向きとされ、Ｓ極（Ｓ）が上向きとされている。次に、この一端側磁石１３ａに隣接する端部側から２番目に配置された一端側磁石１３ｂのＮ極（Ｎ）は上向きとされ、Ｓ極（Ｓ）は下向きとなっている。また、この一端側磁石１３ｂに隣接する端部側から３番目の一端側磁石１３ｃは、さらに２番目の一端側磁石１３ｂと逆にＮ極（Ｎ）が下向きとされ、Ｓ極（Ｓ）が上向きとされている。さらにまた、この一端側磁石１３ｃに隣接する端部側から４番目に配置された一端側磁石１３ｄは、３番目の一端側磁石１３ｃと逆に、Ｎ極（Ｎ）が上向きとされ、Ｓ極（Ｓ）が下向きとされている。この後に続く中間側磁石１５も上記同様に、Ｎ極（Ｎ）とＳ極（Ｓ）とが互い違いの向きに配置されている。
【００４７】
一方、装身具本体２４の一端側６１と他端側６２との重合部において、他端側６２の磁石内臓紐状体１１内には、他端側外キャップ２７側から例えば４個の他端側磁石１４（１４ａ，１４ｂ，１４ｃ，１４ｄ）が直列に配置されている。これらの磁石１４（１４ａ，１４ｂ，１４ｃ，１４ｄ）も上述したように、それぞれ円柱状に構成されており、各磁石１４（１４ａ，１４ｂ，１４ｃ，１４ｄ）のＮ極（Ｎ）とＳ極（Ｓ）とは、円柱の互いに反対側の外周面に配置されている。そして、各磁石１４（１４ａ，１４ｂ，１４ｃ，１４ｄ）の互いに隣接するもの同士はＮ極（Ｎ）とＳ極（Ｓ）とが互い違いの向きに配置されている。
【００４８】
具体的には、装身具本体２４の他端側外キャップ２７側に最も接近して配置された端部側配置の他端側磁石１４ａのＮ極（Ｎ）が上向きとされ、Ｓ極（Ｓ）が下向きとされている。次に、この他端側磁石１４ａに隣接する端部側から２番目に配置された他端側磁石１４ｂは前記と逆に、Ｎ極（Ｎ）が下向きとされ、Ｓ極（Ｓ）が上向きとされている。また、この他端側磁石１４ｂに隣接する端部側から３番目に配置された他端側磁石１４ｃは、さらに２番目の他端側磁石１４ｂと逆に、Ｎ極（Ｎ）が上向きとされ、Ｓ極（Ｓ）が下向きとされている。さらにまた、この他端側磁石１４ｃに隣接する端部側から４番目に配置された他端側磁石１４ｄは、さらに３番目の他端側磁石１４ｃと逆に、Ｎ極（Ｎ）が下向きとされ、Ｓ極（Ｓ）が上向きとされている。この後に続く中間側磁石１５についても、上記同様に、Ｎ極（Ｎ）とＳ極（Ｓ）とが互い違いの向きに配置されている。
【００４９】
したがって、装身具本体２４の一端側６１と他端側６２との重合部では４個の一端側磁石１３（１３ａ，１３ｂ，１３ｃ，１３ｄ）のＮ極（Ｎ）とＳ極（Ｓ）と、４個の他端側磁石１４（１４ａ，１４ｂ，１４ｃ，１４ｄ）Ｓ極（Ｓ）とＮ極（Ｎ）とが、それぞれ対向する配置とされているため相互に磁気接着するようになる。そして、各磁石は金属磁石であるため強力に磁気接着し、容易に引き剥がされることがない。
【００５０】
また、磁石内臓紐状体１１のチューブ１２は上述したように、長手方向に沿う両端部間において軸心周りに相対的に１８０°以上、容易に捩ることができる構成となっているので、装着者の首に巻き付けた直後にＮ極（Ｎ）同士、またはＳ極（Ｓ）同士が対向する状態であったとしても、各磁石の吸磁力によって自然にＮ極（Ｎ）とＳ極（Ｓ）とが向き合う状態となる。このため、装着者が人為的に磁石内臓紐状体１１を回転操作する必要がなく、首周りに容易に装着することができる。
［第２実施形態（図１２）］
図１２は、本発明の第２実施形態による装身具を示す斜視図である。この図１２に示すように、止め具７０は金属または樹脂等を素材として型成形または曲げ加工したもので、側面視ほぼＳ字形に形成されている。すなわち、この止め具７０の中央部７１はほぼ直線状であり、一端部７２が上述の装身具本体２４の外径よりも少し大きい内径で円形状に湾曲されている。この止め具７０の直線状の中央部７１と一端部７２の先端との間には装身具本体２４の外径よりも小さい隙間が形成されている。これにより、止め具７０の湾曲した一端部７２内の円形状空間部分は、装身具本体２４の先端を通すことができる一方の通し部７５とされている。
【００５１】
また、止め具７０の他端部７３は一端部７２と逆の向きに円形状に湾曲され、この湾曲部分の内径も上述の装身具本体２４の外径より少し大きい内径とされている。この止め具７０の直線状の中央部７１と他端部４３の先端との間にも、装身具本体２４の外径よりも小さい隙間が形成されている。これにより、止め具７０の湾曲した他端部７３内の円形状空間部分は装身具本体２４の先端を通すことができる他方の通し部４６とされている。
【００５２】
さらに、止め具７０の一端側７２には磁石７６が設けられ、この磁石７６の磁力により装身具本体２４の一端側６１を吸着できるようになっている。また、止め具７０の他端側７３にも磁石７７が設けられ、この磁石７７の磁力により装身具本体２４の他端側６２を吸着できるようになっている。
【００５３】
この止め具７０を用いた装着過程においては、上述した装着方法、すなわち装身具本体２４を装着者６３の首６４周りに装着し、装身具本体２４の一端側６１と他端側６２とを首６４の後方で重合させて磁力により係止する装着方法について、止め具７０を用いることにより装身具本体２４を首周りにさらに確実に止めることができるようにするものである。
【００５４】
すなわち、装着者は装身具本体２４の一端側６１と他端側６２とを把持して、装身具本体２４を首の前側下方から上方に持上げ、装身具本体２４の両端を肩の上方を介して首の後方に回し込む。そして、装身具本体２４の一端側６１をＳ字形をした止め具７０の一方の通し部７４に通す。また、装身具本体２４の他端側３６を右向き矢印で示すように、Ｓ字形をした止め具７０の他方の通し部７５に通す。
【００５５】
このように、Ｓ字形をした止め具７０の一方の通し部７５に通した装身具本体２４の一端側６１は、止め具７０の直線状の中央部７１と一端部７２の先端とによって周囲から保持される。したがって、装身具本体２４の一端側６１は側方に外れることがない。
【００５６】
また、Ｓ字形をした止め具７０の他方の通し部７５に通した装身具本体２４の他端側６２は、止め具７０の直線状の中央部７１と他端部７３の先端とによって周囲から保持される。したがって、装身具本体２４の他端側６２も側方に外れることがない。
【００５７】
このように、Ｓ字形の止め具７０を用いて止められた装身具本体２４は、磁石による吸磁力で接着状態とされたうえ、止め具７０の保持力によって周方向への離脱がさらに確実に防止される。したがって、不意の脱落等による紛失のおそれがなく、また装着者の外部からの引き剥がし等によっては外れることがないため盗難防止等も確実に防止することができる。なお、装着者が身体から装身具本体２４を外す場合には、装身具本体２４を止め具７０の通し部７４、７５から装身具本体２４の一端側６１または他端側６２を軸方向に引抜くだけで簡単に装身具本体２４を外すことができる。
［第３実施形態（図１３、図１４）］
図１３は、本発明の第３実施形態による装身具を示す斜視図である。この図１３に示すように、本実施形態の止め具８１は金属または樹脂等を素材として型成形したもので、全体的に側面視ほぼ眼鏡形（「８」の字状）に形成されている。すなわち、この止め具８１は、円筒状の一端部８３と他端部８４とを胴部８２を介して一体に連結され、眼鏡形の外枠を構成している。
【００５８】
円筒状の一端部８３の内部には、装身具本体２４の一端側６１および外キャップ２６を通す一方の空間（通し部）８５が形成されており、この一方の空間８５の径は装身具本体２４の一端側６１および外キャップ２６よりも大径となっている。これにより、円筒状の一端部８３の内部には、装身具本体２４の一端側を自由に挿入したり引抜きすることができる。また、円筒状の他端部８４の空間８６も一端部８３とほぼ同径となっている。
【００５９】
そして、止め具本体８１の円筒状の一端部８３の内部には、内部リング９１が挿入されている。この内部リング９１は円筒状の一端部８３の内部で装身具本体同士が重なる方向に沿って移動可能とされており、円筒状の一端部８３に設けたネジ孔９３内に挿入した押しネジ９２により、装身具本体同士が重なる方向に押動されて移動できるようになっている。また、円筒状の他端部８４の空間８６の内部にも、内部リング９４が挿入されている。この内部リング９４も円筒状の他端部８４の内部で装身具本体同士が重なる方向に移動可能とされており、円筒状の他端部８４に設けたネジ孔９６内に挿入した押しネジ９５により押動されて装身具本体同士が重なる方向に移動できるようになっている。これらの内部リング９１、９４の間には圧縮コイルバネ９７が介在されており、この圧縮コイルバネ９により通常時には内部リング９１、９４が互いに相反する方向に弾性により離間するようになっている。
【００６０】
なお、内部リング９１、９４の内面９８，９９は装身具本体２４の一端側６１および外キャップ２６等の押え面となっている。そして、これら内部リング９１、９４の内面９８，９９の径も装身具本体２４の一端側６１、他端側６２および外キャップ２６、２７より大径となっている。これにより、内部リング９１、９４の内部においても、装身具本体２４の一端側を自由に挿入したり引抜きすることができる。
【００６１】
図１４は、図１３に示した止め具８１の軸直角断面図である。この図１４に示すように、内部リング９１と内部リング９４は圧縮コイルバネ９７の弾性力によって互いに外向き（図１４の上下方向）に付勢され、装身具本体２４の一端側６１と他端側６２は内部リング９１と内部リング９４によって内側から外向きに押圧される。これらの押圧される装身具本体２４の一端側６１と他端側６２の外周側の面は、それぞれ止め具本体８１の円筒状の一端部８３と他端部８４の内周面に圧接する。したがって、装身具本体２４の一端側６１と他端側６２は止め具８１内に固定される。
【００６２】
固定を解く場合には、押しネジ９２と押しネジ９５を互いに向き合う方向に押し込む操作を行うことによって、装身具本体２４の一端側６１と他端側６２を円筒状の一端部８３と他端部８４の内面への当接力を弱め、装身具本体２４の一端側６１と他端側６２への圧接力を解除すればよい。これにより、装身具本体２４の一端側６１と他端側６２を止め具８１に挿入したり離脱することができる。
【００６３】
このように、眼鏡形の止め具８１を用いて止められた装身具本体２４は、内部の磁石による吸磁力で接着状態とされたうえ、眼鏡形をした止め具５１の保持力によって、確実に周方向への離脱が防止される。したがって、不意の脱落等による紛失のおそれがなく、また装着者の外部からの引き剥がし等によっては外れることがないため盗難防止等も一層確実に防止することができる。なお、装着者が身体から装身具本体２４を外す場合には、押しネジ９２，９５を緩めて装身具本体２４を止め具５１の内面から装身具本体２４の一端側６１または他端側３６を軸方向に引抜くだけで、簡単に装身具本体２４を外すことができる。
［第４実施形態（図１５）］
図１５は、本発明の第４実施形態による装身具を示す斜視図である。この図１５に示すように、本実施形態の止め具１０１は金属または樹脂等を素材として型成形したもので、２つの湾曲部をもつ湾曲板状の止め具本体１０２ａと、これに組み合う数珠状紐体１０３とにより構成されている。
【００６４】
止め具本体１０２は、２つの円弧板状の湾曲片１０２ａ，１０４が中間閉じ部１０２ｂによって一体に繋がった形状をしており、この止め具本体１０２の一端部１０５には円環状の外側止めリング１０７が設けられている。また、止め具本体１０２の他端部１０６にも円環状の外側止めリング１０８が設けられている。さらに、湾曲片１０２ａ，１０４の中間閉じ部１０２ｂには、一定の間隔で、内側止めリング１１７，１１８が設けられている。外側止めリング１０７、１０８および内側止めリング１１７，１１８の内径はほぼ同一径とされている。
【００６５】
数珠状紐体１０３は、一端側において可撓性の紐１０９の一端側に一定間隔で玉１１０を装着するとともに、他端側において可撓性の紐１１２の一端側に一定間隔で玉１１３を装着した構成とされている。玉１１０、１１３は例えば弾性を有する材料によって構成されており、外側止めリング１０７、１０８および内側止めリング１１７，１１８の内径とほぼ同一の外径を有し、一定以上の力で引張った場合に外側止めリング１０７、１０８および内側止めリング１１７，１１８を通過でき、一体以下の力では外側止めリング１０７、１０８および内側止めリング１１７，１１８から抜けない構成となっている。また、数珠状紐体１０３の一端には、外側止めリング１０７および内側止めリング１１７の内径よりも大径な端板１１１が設けられ、他端側にも、外側止めリング１０８および内側止めリング１１８の内径よりも大径な端板１１４が設けられている。そして、紐１０９、１１２の中間部分が外側止めリング１０７、１０８および内側止めリング１１７，１１８に通され、紐１０９、１１２の先端部の各端板１１１，１１４がそれぞれ外側止めリング１０７、１０８の外側に配置されている。これにより、数珠状紐体１０３は止め具本体１０２から外れないようになっている。
【００６６】
このような構成において、装身具本体２４に止め具１０１を装着する場合には、数珠状紐体１０３のうち、外側止めリング１０７と内側止めリング１１７との間および外側止めリング１０８と内側止めリング１１８との間の部分を装身具本体２４の外径よりも大きく開口するように湾曲させておく。
【００６７】
そして、外側止めリング１０７と内側止めリング１１７との間の開口部分に装身具本体の一端側６１および他端側２６を通すとともに、外側止めリング１０８と内側止めリング１１８との間の開口部分に装身具本体の一端側６２および他端側２７を通す。その後、数珠状紐体１０３を両端側に所定の力で引張り、装身具本体の一端側６１および他端側６２を外周側から押えるようにする。
【００６８】
逆に止め具本体１０２から装身具本体の一端側６１および他端側６２を取外す場合には、数珠状紐体１０３のうち、外側止めリング１０７と内側止めリング１１７との間および外側止めリング１０８と内側止めリング１１８との間の部分を装身具本体２４の外径よりも大きく開口するように再び湾曲させ、装身具本体の一端側６１および他端側６２を引出せばよい。
【００６９】
このような構成によれば、数珠状紐体１０３を操作するだけで、装身具本体２４の一端側６１および他端側６２を止め具本体１０２に装着したり、取外すことが容易に行える。また、止め具１０１を用いて止められた装身具本体２４は、内部の磁石による吸磁力で接着状態とされたうえ、眼鏡形をした止め具１０１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
［第５実施形態（図１６、図１７）］
図１６は、本発明の第５実施形態による装身具を示す斜視図である。この図１６に示すように、本実施形態の止め具１２１は金属または樹脂等を素材として型成形したもので、側面視ほぼ眼鏡形（「８」の字状）に形成されている。この止め具１２１は、胴部１２２を介して互いに平行に連結された筒状の一端部１２３と筒状の他端部１２４とを有している。筒状の一端部１２３内には、装身具本体２４の一端側６１を着脱可能に挿通できるとともに、筒状の他端部１２４内には、装身具本体２４の他端側６２を着脱可能に挿通できるようになっている。
【００７０】
筒状の一端部１２３の内部には一方の空間（通し部）１２５が形成されており、この一方の空間１２５の径は装身具本体２４の一端側および一端側外キャップ２６よりも大径となっている。これにより、筒状の一端部１２３の内部には、装身具本体２４の一端側を自由に挿入したり引抜きすることができる。一方、筒状の他端部１２４の他方の空間１２６は、筒状の一端部１２３の一方の空間１２５とほぼ等径となっており、他方の空間１２６の径は装身具本体２４の一端側６２の外径とほぼ一致している。
【００７１】
そして、筒状の他端部１２４内には装身具本体２４の一端側６２および外キャップ２７が着脱可能に挿通できる。すなわち、本実施形態の止め具１２１では、筒状の他端部１２４の他方の空間１２６内に装身具本体２４の一端側６２および外キャップ２７が挿通でき、筒状の一端部１２３の一方の空間１２５には、装身具本体２４の一端側外キャップ２６が挿入および引抜き可能な状態で着脱可能に挿通できるようになっている。そして、筒状の一端部１２３の内部には、バネ部材１３１が収納され、また筒状の他端部１２４の内部にも同様にバネ部材１４１が収納されている。
【００７２】
図１７は、図１６に示した止め具１２１の軸直角断面図である。この図１７に示すように、筒状の一端部１２３の径と筒状の他端部１２４の径とは互いにほぼ等しい。この止め具１２１の筒状の一端部１２３における内周面には、上述のバネ部材１３１が収納されている。このバネ部材１３１は、平板部１３２に山形のバネ板１３３を設けた構成となっている。また筒状の他端部１２４における内周面にも、上述のバネ部材１４１が収納されている。このバネ部材１４１は、平板部１４２に谷形のバネ板１４３を設けた構成となっている。
【００７３】
このような構成のバネ部材１３１により、装身具本体２４の一端側を筒状の一端部１２３の内部に挿入させた場合に、バネ板１３３の弾性力によって装身具本体２４の一端側６１を任意の長さだけ筒状の一端部１２３の内部に押圧保持することができる。また、筒状の他端部１２４に装身具本体２４の他端側６２を挿入させた場合に、バネ板１４３の弾性力によって装身具本体２４の他端側６２を任意の長さだけ筒状の他端部１２４の内部に押圧保持することができる。
【００７４】
このような構成によれば、何らの特別な操作を必要とせず、装身具本体２４を止め具１２１内に着脱可能に挿入するだけで、装身具本体２４の一端側６１および他端側６２を止め具１２１に装着したり、取外すことが容易に行える。また、止め具１２１を用いて止められた装身具本体２４は、内部の磁石による吸磁力で接着状態とされたうえ、眼鏡形をした止め具１２１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
［第６実施形態（図１８、図１９）］
図１８は、本発明の第６実施形態による装身具を示す斜視図である。この図１８に示すように、本実施形態の止め具１５１は金属または樹脂等を素材として型成形したもので、止め具本体１５０が側面視ほぼ眼鏡形（「８」の字状）に形成されている。この止め具本体１５０は、胴部１５２を介して互いに平行に連結された筒状の一端部１５３と筒状の他端部１５４とを有している。筒状の一端部１５３内には、装身具本体２４の一端側６１を着脱可能に挿通できるとともに、筒状の他端部１５４内には、装身具本体２４の他端側６２を着脱可能に挿通できるようになっている。
【００７５】
筒状の一端部１５３の内部には一方の空間（通し部）１５５が形成されており、この一方の空間１５５の径は装身具本体２４の一端側および一端側外キャップ２６よりも大径となっている。これにより、筒状の一端部１５３の内部には、装身具本体２４の一端側を自由に挿入したり引抜きすることができる。また、筒状の他端部１５４の他方の空間１５６は、筒状の一端部１５３の一方の空間１５５と略同径となっており、この他方の空間１５６の径は装身具本体２４の一端側６２の外径とほぼ一致している。
【００７６】
そして、筒状の他端部１５４内には装身具本体２４の一端側６２および外キャップ２７が着脱可能に挿通させることができる。すなわち、本実施形態の止め具１５１では、筒状の他端部１５４の他方の空間１５６内に装身具本体２４の一端側６２および外キャップ２７が挿通でき、筒状の一端部１５３の一方の空間１５５には、装身具本体２４の一端側外キャップ２６が挿入および引抜き可能な状態で着脱可能に挿通できるようになっている。そして、筒状の一端部１５３の側壁にはネジ孔１５７があけられ、筒状の他端部１５４の側壁にもネジ孔１５８が平行にあけられている。
【００７７】
この構成において、筒状の一端部１５３のネジ孔１５７には締付けネジ１７１が側方からねじ込まれている。すなわち、締付けネジ１７１は大径な頭部１７２とその中心から突出するネジ部１７３を有し、頭部１７２を人手によって回転操作することにより、ねじ込んだり、引抜くことができる。また、筒状の他端部１５４のネジ孔１５８にも締付けネジ１８１が側方からねじ込まれている。すなわち、締付けネジ１８１は大径な頭部１８２とその中心から突出するネジ部１８３を有し、頭部１８２を人手によって回転操作することにより、ねじ込んだり、引抜くことができる。
【００７８】
図１９は、図１８に示した止め具１５１の軸直角断面図である。この図１９に示すように、筒状の一端部１５３の径と筒状の他端部１５４の径とは互いにほぼ等しい。この止め具１５１の筒状の一端部１５３における内周面側には、上述の締付けネジ１７１のネジ部１７３が突入している。この締付けネジ１７１のネジ部１７３の先端には幅広な押し板１７４が設けられている。この押し板１７４は装身具本体２４を押付けて止め具本体１５０の内面に圧接させることができる。また、この止め具１５１の筒状の他端部１５４における内周面側には、上述の他方の締付けネジ１８１のネジ部１８３が突入している。この締付けネジ１７１のネジ部１８３先端にも幅広な押し板１８４が設けられている。この押し板１８４は装身具本体２４を押付けて止め具本体１５０の内面に圧接させることができる。
【００７９】
このような構成によれば、装身具本体２４を止め具１５１内に着脱可能に挿入し、締付けネジ１７１、１８１を回転操作するだけで、装身具本体２４の一端側６１および他端側６２を止め具１５１に装着したり、取外すことが容易に行える。また、止め具１５１を用いて止められた装身具本体２４は、内部の磁石による吸磁力で接着状態とされたうえ、眼鏡形をした止め具１５１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
［第７実施形態（図２０、図２１）］
図２０は、本発明の第７実施形態による装身具を示す斜視図である。この図２０に示すように、本実施形態の止め具１９１は金属または樹脂等を素材として型成形したもので、両側開口のほぼ矩形筒状に形成されている。この止め具１９１の止め具本体１９０は、図２０において、上片１９２，側片（左側片）１９３，下片１９４および側片（右側片）１９５を有している。止め具１９１の内部は空間（通し部）１９６とされており、この空間（通し部）１９６には、装身具本体２４の一端側６１および他端側６２を着脱可能に横並びで挿通できるようになっている。
【００８０】
そして、止め具本体１９０の互いに対向する側片（左側片）１９３と側片（右側片）１９５には、所定角度傾斜した傾斜孔１９７，１９８が開けられている。そして、傾斜孔１９７と傾斜孔１９８には、１本の止めピン２０１が挿通されている。この止めピン２０１は、傾斜孔１９７と傾斜孔１９８に挿通される長さの軸部２０２を有し、この軸部２０２の各先端は、それぞれ側片（左側片）１９３と側片（右側片）１９５の外側に突出している。この軸部２０２の各端の突出部分に大径な頭部２０３と頭部２０４が一体に設けられている。傾斜孔１９７と傾斜孔１９８は対象形状の長孔であり、この孔の高さ，長さおよび傾斜角はすべて同一となっている。
【００８１】
図２１は、図２０に示した止め具１９１の軸直角断面図である。この図２１に示すように、傾斜孔１９７と傾斜孔１９８の低い方の端部の高さは装身具本体２４の一端側６１および他端側６２の頂部よりも低い位置に形成されている。また、傾斜孔１９７と傾斜孔１９８の高い方の端部の高さは装身具本体２４の一端側６１および他端側６２の頂部よりも低い位置に形成されている。
【００８２】
したがって、使用時には図２１に示すように装身具本体２４の一端側６１を傾斜孔１９７と傾斜孔１９８の低い方から高い方（図２１の左方）に向って挿入すると頭部２０３が押上げられてスムーズに挿入できる。一方、逆に装身具本体２４の一端側６１を傾斜孔１９７と傾斜孔１９８の高い方から低い方（図２１の右方）に向って引張ると、頭部２０３が摩擦力で低い方に連動するため、頭部２０３が装身具本体２４の一端側６１を下方に押圧するようになり、装身具本体２４の抜けを防止することができる。
【００８３】
本実施形態によれば、装身具本体２４を止め具１９１内に着脱可能に挿入するだけで、装身具本体２４の一端側６１および他端側６２を止め具１９１に装着したり、取外すことが容易に行える。また、止め具１９１を用いて止められた装身具本体２４は、内部の磁石による吸磁力で接着状態とされたうえ、止め具１９１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
［第８実施形態（図２２、図２３）］
図２２は、本発明の第８実施形態による装身具を示す斜視図である。この図２２に示すように、止め具２１１は鰐口クリップ状をなすもので、一対の挟み片である止め具本体２１２および閉じ板２２１をヒンジ軸２２８によって開閉可能に連結した構成とされている。
【００８４】
止め具本体２１２は一定幅の湾曲片として構成されており、この止め具本体２１２は装身具本体２４の一端側の外周面の略半分を外側から押えて止めるための半円弧板状の湾曲片２１３と、装身具本体２４の他端側の略半分を外側から押えて止めるための半円弧板状の湾曲片２１４とが隣接する一体の湾曲板となっている。湾曲片２１３の外側端部の一側部には、板幅方向に沿う貫通孔が形成されたヒンジ筒２１６が一体に設けられ、湾曲片２１３の外側端部の他側部には、板幅方向に沿う貫通孔が形成された別のヒンジ筒２１７がヒンジ筒２１３と一定の間隔をあけて同軸上に連設されている。
【００８５】
湾曲片２１３の凹面側と湾曲片２１４の凹面側との間には、平坦面状の中間閉じ部２１８が形成されている。湾曲片２１２の一端部２１５は保持部として深い曲げが形成されている。
【００８６】
閉じ板２２１は、平坦な板状をなしており、止め具本体２１１とほぼ同一幅を有している。この閉じ板２２１は装身具本体２４の一端側の外周面の略半分を外側から押えて止めるため一端がわに半円弧板状の係止爪２２３を有するとともに、他端側にはヒンジ筒２２４が設けられている。このヒンジ筒２２４は、止め具本体２１２のヒンジ筒２１６とヒンジ筒２１７との間に同軸で配置されている。これらのヒンジ筒２１６、ヒンジ筒２１７およびヒンジ筒２２４には、１本のヒンジ軸２２８が通され、このヒンジ軸２２８を中心として、止め具本体２１２と閉じ板２２１とが回動できるようになっている。
【００８７】
図２３は、本発明の第８実施形態による装身具を示す側面図である。図２３に示すように、２２１を２２１に対して２２８を中心として回動させ、２１１を閉じた状態とすると、２２１の２２３が２１２の２２３に弾性的に嵌合する。これにより、２４の６１と６２を押圧保持することができる。
【００８８】
本実施形態によれば、装身具本体２４を止め具２１１内に着脱可能に挿入するだけで、装身具本体２４の一端側６１および他端側６２を止め具２１１に装着したり、取外すことが容易に行える。また、止め具２１１を用いて止められた装身具本体２４は、内部の磁石による吸磁力で接着状態とされたうえ、止め具２１１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
［第９実施形態（図２４、図２５）］
図２４は、本発明の第９実施形態による装身具を示す斜視図である。この図２４に示すように、本実施形態の止め具２３１は金属または樹脂等を素材として型成形したもので、両側開口のほぼ矩形筒状に形成されている。この止め具２３１の止め具本体２３０は、図２４において、上片２３２，側片（左側片）２３３，下片２３４および側片（右側片）２３５を有している。止め具２３１の内部は空間（通し部）２３６とされており、この空間（通し部）２３６には、装身具本体２４の一端側６１および他端側６２を着脱可能に横並びで挿通できるようになっている。
【００８９】
この構成において、上片２３２にあけたネジ孔２３７に締付けネジ２４１上側方からねじ込まれている。すなわち、締付けネジ２４１は大径な頭部２４４とその中心から突出するネジ部２４３を有し、頭部２４４を人手によって回転操作することにより、ねじ込んだり、引抜くことができる。
【００９０】
図２５は、図２４に示した止め具２３１の軸直角断面図である。この図２５に示すように、締付けネジ２４１のネジ部２４３の先端には幅広な押し板２４５が設けられている。この押し板２４５は装身具本体２４を押付けて止め具本体２３０の内面に圧接させることができる。
【００９１】
このような構成によれば、装身具本体２４を止め具２３１内に着脱可能に挿入し、締付けネジ２４１を回転操作するだけで、装身具本体２４の一端側６１および他端側６２を止め具２３１に装着したり、取外すことが容易に行える。また、止め具２３１を用いて止められた装身具本体２４は、内部の磁石による吸磁力で接着状態とされたうえ、眼鏡形をした止め具２３１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
［第１０実施形態（図２６、図２７）］
図２６は、本発明の第１０実施形態による装身具を示す斜視図である。この図２６に示すように、本実施形態の止め具２５１は金属または樹脂等を素材として型成形したもので、側面視ほぼ眼鏡形（「８」の字状）に形成された止め具本体２５０を有している。この止め具本体２５０は、装身具本体２４の一端側６２を着脱可能に挿通する筒状の一端部２５３と、装身具本体２４の一端側６２を着脱可能に挿通する筒状の他端部２５４とを、胴部２５２を介して互いに連結することにより、一体構成の眼鏡形の枠体を形成している。  筒状の一端部２５３の内部には一方の空間（通し部）２５５が形成されており、この一方の空間２５５の径は装身具本体２４の一端側５１および外キャップ２７を挿通できる径となっている。これにより、筒状の一端部２５３の内部には、装身具本体の一端側を自由に挿入したり引抜きすることができる。一方、筒状の他端部２５４の他方の空間２５６
の径も装身具本体２４の他端側６２および外キャップ２７を挿通できる径となっている。これにより、筒状の一端部２５３の内部には、装身具本体の一端側を自由に挿入したり引抜きすることができる。
【００９２】
そして、本実施形態の止め具２５１では、筒状の他端部２５４の他方の空間２５６内に装身具本体２４の一端側６１および外キャップ２７が挿通可能とされており、同様に、筒状の一端部２５３の一方の空間２５５には、装身具本体２４の他端側６２および外キャップ２７が挿入および引抜き可能な状態で挿通できるようになっている。そして、筒状の一端部２５３の内部には、周方向に等間隔で３個のボール、すなわちボール２６１，２６２，２６３が収納されている。また、筒状の他端部２５４の内部にも、周方向に等間隔で３個のボール、すなわちボール２６４，２６５，２６６が収納されている。
【００９３】
図２７は、図２６に示した止め具２５１の軸直角断面図である。この図２７に示すように、筒状の一端部２５３の径と筒状の他端部２５４の径とはほぼ等しい。止め具２５１の筒状の一端部２５３内周面には、周方向に等間隔でポール２６１、２６２、２６３が配置されている。ボール２６１は筒状の一端部２５３の穴内に収容され、バネ（圧縮コイルバネ）２６１によって筒状の一端部２５３の内周側に弾性をもって押圧されている。なお、筒状の一端部２５３内における穴の内側端部の径はボール２６１の径よりも小さくなっており、これによりボール４５１は筒状の一端部２５３の内方に脱落することはない。穴は筒状の一端部２５３の外周側で閉塞されており、この閉塞空間にバネ（圧縮コイルバネ）２５７が収納されてボール２６１を筒状の一端部２５３の内方に常時押圧するようになっている。
【００９４】
同様に、ボール２６２は筒状の一端部２５３の穴内に収容され、バネ（圧縮コイルバネ）２５８によって筒状の一端部２５３の内周側に弾性をもって押圧されている。なお、筒状の一端部２５３内における穴の内側端部の径はボール２６２の径よりも小さくなっており、これによりボール２６２は筒状の一端部２５３の内方に脱落することはない。穴は筒状の一端部２５３の外周側で閉塞されており、この閉塞空間にバネ（圧縮コイルバネ）２５８が収納されてボール２６２を筒状の一端部２５３の内方に常時押圧するようになっている。
【００９５】
また、ボール２６３は筒状の一端部２５３の穴内に収容され、バネ（圧縮コイルバネ）２５９によって筒状の一端部２５３の内周側に弾性をもって押圧されている。なお、筒状の一端部２５３内における穴の内側端部の径はボール２６３の径よりも小さくなっており、これによりボール２６３は筒状の一端部２５３の内方に脱落することはない。穴は筒状の一端部２５３の外周側で閉塞されており、この閉塞空間にバネ（圧縮コイルバネ）２５９が収納されてボール２６３を筒状の一端部２５３の内方に常時押圧するようになっている。
【００９６】
さらに、ボール２６４は筒状の他端部２５４の穴内に収容され、バネ（圧縮コイルバネ）２６７によって筒状の他端部２５４の内周側に弾性をもって押圧されている。なお、筒状の他端部２５４内における穴の内側端部の径はボール２６４の径よりも小さくなっており、これによりボール２６４は筒状の他端部２５４の内方に脱落することはない。穴は筒状の他端部２５４の外周側で閉塞されており、この閉塞空間にバネ（圧縮コイルバネ）２６７が収納されてボール２６４を筒状の他端部２５４の内方に常時押圧するようになっている。
【００９７】
また、ボール２６５は筒状の他端部２５４の穴内に収容され、バネ（圧縮コイルバネ）２６８によって筒状の他端部２５４の内周側に弾性をもって押圧されている。なお、筒状の他端部２５４内における穴の内側端部の径はボール２６５の径よりも小さくなっており、これによりボール２６５は筒状の他端部２５４の内方に脱落することはない。穴は筒状の他端部２５４の外周側で閉塞されており、この閉塞空間にバネ（圧縮コイルバネ）２６８が収納されてボール２６５を筒状の他端部２５４の内方に常時押圧するようになっている。
【００９８】
さらにまた、ボール２６６は筒状の他端部２５４の穴内に収容され、バネ（圧縮コイルバネ）２６９によって筒状の他端部２５４の内周側に弾性をもって押圧されている。なお、筒状の他端部２５４内における穴の内側端部の径はボール２６６の径よりも小さくなっており、これによりボール２６６は筒状の他端部２５４の内方に脱落することはない。穴は筒状の他端部２５４の外周側で閉塞されており、この閉塞空間にバネ（圧縮コイルバネ）２６９が収納されてボール２６６を筒状の他端部２５４の内方に常時押圧するようになっている。
【００９９】
このような構成のボール２６１，２６２，２６３により、装身具本体２５０の一端側を筒状の一端部２５３の内部に挿入させた場合に、バネ（圧縮コイルバネ）２５７，２５８，２５９の弾性力によって装身具本体２４の一端側を任意の長さだけ筒状の一端部２５３の内部に挿通させることができる。
【０１００】
同様に、ボール２６４，２６５，２６６により、装身具本体２５０の他端側を筒状の他端部２５４の内部に挿入させた場合に、バネ（圧縮コイルバネ）２６７，２６８，２６９の弾性力によって装身具本体２４の他端側を任意の長さだけ筒状の他端部２５４の内部に挿通させることができる。
【０１０１】
このように、本実施形態においては、柔軟性材料により構成されて捩りおよび湾曲ができる紐状のチューブ内に複数の円柱形の金属製磁石を挿入し、これらの磁石のＮ極とＳ極とを円柱の外周面に交互に配置した装身具本体と、この装身具本体の一端側および他端側に固定され当該装身具の一端側と他端側とを平行に揃えた状態で着脱できる止め具とを備えた構成となっている。
【０１０２】
したがって、本実施形態によれば、装身具本体２４の一端側および他端側を止め具に着脱自在に装着することができる。しかも、止め具２５１を用いて止められた装身具本体２４は、内部の磁石による吸磁力で接着状態とされたうえ、眼鏡形をした止め具２５１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
［第１１実施形態（図２８、図２９）］
図２８は、本発明の第１１実施形態による装身具を示す斜視図である。この図２８に示すように、本実施形態の止め具２７１は金属または樹脂等を素材として型成形したもので、側面視ほぼＳ字状に形成された止め具本体２７０を有している。この止め具本体２７０は、中央部２７２を介して互いに連結された半円筒状の装身具本体着脱用筒部２７３と、予め装身具本体２４の一端側６２に固定された円筒状の固定筒部２７４とにより構成されている。
【０１０３】
装身具本体着脱用筒部２７３の内部には一方の空間（通し部）２７５が形成されており、この一方の空間２７５の曲率半径は装身具本体２４の一端側および一端側外キャップ２６よりも大径となっている。これにより、装身具本体着脱用筒部２７３の内部には、装身具本体の一端側を自由に挿入したり引抜きすることができる。一方、固定筒部２７４の他方の空間２７６は、装身具本体着脱用筒部２７３の一方の空間２７５よりも小径となっており、他方の空間２７６の径は装身具本体２４の一端側６２の外径とほぼ一致している。  そして、固定筒部２７４内には装身具本体２４の一端側６２および外キャップ２７が予め挿通されて、固定されている。すなわち、本実施形態の止め具２７１では、固定筒部２７４の他方の空間２７６内に装身具本体２４の一端側６２および外キャップ２７が挿通固定されており、装身具本体着脱用筒部２７３の一方の空間２７５には、装身具本体２４の外キャップ２６が挿入および引抜き可能な状態で挿通できるようになっている。
【０１０４】
一方、止め具２７１の上半分は鰐口クリップ状をなし、挟み片としての閉じ板２８５をヒンジ軸２８４によって開閉可能に連結した構成とされている。装身具本体着脱用筒部２７３は一定幅の湾曲片として構成されており、装身具本体２４の一端側の外周面の略半分を外側から押えて止めるための半円弧板状となっている。一方，閉じ板２８５は、装身具本体２４の他端側の略半分を外側から押えて止めるための平板状の閉じ板本体２８６により構成されている。
【０１０５】
装身具本体着脱用筒部２７３の外側端部には、対向するヒンジ耳２８２，２８３が立設され、ヒンジ軸２８４が支持されている。一方、閉じ板２８５のヒンジ端２９０は、ヒンジ軸２８４に支持され、これと反対側の端部には、ピン軸保持片２８７およびピン軸保持片２８８が開口部２８９をあけて突設されている。
【０１０６】
さらに、装身具本体着脱用筒部２７３の先端にはピン軸２７７が突設されている。このピン軸２７７の先端には大径頭部５１が形成され、ピン軸２７７の外周にはネジ部２７９が形成されている。このネジ部２７９が、装身具本体着脱用筒部２７３の先端のネジ穴２８０にねじ込まれている。
【０１０７】
図２９は、装身具本体２４を止め具４０によって止める場合の使用状態を示す説明図である。この図２９に示すように、装身具本体２４を止め具２７１に通し、閉じ板本体２８６をヒンジ軸２８４を支点として回動し、ピン軸２７７にピン保持片２８７、２８８を係止させる。
【０１０８】
このような構成によると、装身具本体２４の一端側および他端側を止め具に着脱自在に装着することができる。しかも、止め具２７１を用いて止められた装身具本体２４は、内部の磁石による吸磁力で接着状態とされたうえ、止め具２７１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０１０９】
また、本実施形態においては、柔軟性材料により構成されて捩りおよび湾曲ができる紐状のチューブ内に複数の円柱形の金属製磁石を挿入し、これらの磁石のＮ極とＳ極とを円柱の外周面に交互に配置した装身具本体と、この装身具本体の一端側に固定され当該装身具の一端側と他端側とを平行に揃えた状態で他端側を固定することができる止め具とを備えた構成となっている。
【０１１０】
したがって、予め装身具本体２４の一端側６２を挿通固定しておき、装身具使用時には、首等に巻き付けた装身具本体２４の一端側６２を任意の長さ挿通することにより、装身具として所定径のリングとして調整し、装着することができる。
［第１２実施形態（図３０、図３１）］
図３０は、本発明の第１２実施形態による装身具を示す斜視図である。この図３０に示すように、本実施形態の止め具２９１は金属または樹脂等を素材として型成形したもので、側面視ほぼＳ字状に形成されている。この止め具２９１は、中央部２９２を介して互いに連結された半円筒状の装身具本体着脱用筒部２７３と、予め装身具本体２４の一端側６２に固定された円筒状の固定筒部２９４とにより構成されている。
【０１１１】
装身具本体着脱用筒部２９３の内部には一方の空間（通し部）２９８が形成されており、この一方の空間２９３の曲率半径は装身具本体２４の一端側および一端側外キャップ２６よりも大径となっている。これにより、装身具本体着脱用筒部２９３の内部には、装身具本体２４の一端側６１を自由に挿入したり引抜きすることができる。一方、固定筒部２９４の他方の空間２９８は、装身具本体着脱用筒部２９３の一方の空間２９７よりも小径となっており、他方の空間２９８の径は装身具本体２４の一端側６２の外径とほぼ一致している。
【０１１２】
そして、固定筒部２９４内には装身具本体２４の一端側６２および外キャップ２７が予め挿通されて、固定されている。すなわち、本実施形態の止め具２９１では、固定筒部２９４の他方の空間２９８内に装身具本体２４の一端側６２および外キャップ２７が挿通固定されており、装身具本体着脱用筒部２７３の一方の空間２９７には、装身具本体２４の外キャップ２６が挿入および引抜き可能な状態で挿通できるようになっている。
【０１１３】
一方、止め具２９１のＳ字状の上半分には磁石保持孔２９５が形成され、この磁石保持孔２９５には磁石２９６が取付けられている。
【０１１４】
図３１は、図３０に示した止め具２５１の軸直角断面図である。図３１に示すように、止め具２９１の上片部分に磁石２９６が設けられ、この磁石２９５の磁力により装身具本体２４の一端側６１を吸着できるようになっている。
【０１１５】
このように、Ｓ字形をした止め具２９１の一方の通し部２９７に通した装身具本体２４の一端側６１は、止め具２９１内に周囲から保持されるとともに、磁石２９６によって保持される。したがって、装身具本体２４の一端側６１は側方に外れることがない。また、装身具本体２４の内部磁石による吸磁力でも接着状態とされたうえ、止め具２９１の保持力によって周方向への離脱がさらに確実に防止される。したがって、不意の脱落等による紛失のおそれがなく、また装着者の外部からの引き剥がし等によっては外れることがないため盗難防止等も確実に防止することができる。なお、装着者が身体から装身具本体２４を外す場合には、装身具本体２４を止め具２９１の通し部２９７から装身具本体２４の一端側６１を軸方向に引抜くだけで簡単に外すことができる。
［第１３実施形態（図３２、図３３）］
図３２は、本発明の第１３実施形態による装身具を示す斜視図である。この図３２に示すように、本実施形態の止め具３０１は金属または樹脂等を素材として型成形したもので、側面視ほぼ「８」の字状に形成されている。この止め具３０１の止め具本体３００は、中央部３０１ａを介して互いに連結された半円筒状の装身具本体着脱用筒部３０２と、予め装身具本体２４の一端側６２に固定された円筒状の固定筒部３０３とにより構成されている。
【０１１６】
装身具本体着脱用筒部３０２の内部には一方の空間（通し部）３０４が形成されており、この一方の空間３０４の曲率半径は装身具本体２４の一端側および一端側外キャップ２６よりも大径となっている。これにより、装身具本体着脱用筒部３０２の内部には、装身具本体２４の一端側６１を自由に挿入したり引抜きすることができる。一方、固定筒部３０３の他方の空間３０５は、装身具本体着脱用筒部３０２の一方の空間３０４よりも小径となっており、他方の空間３０５の径は装身具本体２４の一端側６２の外径とほぼ一致している。
【０１１７】
そして、固定筒部３０３内には装身具本体２４の一端側６２および外キャップ２７が予め挿通されて、固定されている。すなわち、本実施形態の止め具３０１では、固定筒部３０３の他方の空間３０５内に装身具本体２４の一端側６２および外キャップ２７が挿通固定されており、装身具本体着脱用筒部３０２の一方の空間３０４には、装身具本体２４の外キャップ２６が挿入および引抜き可能な状態で挿通できるようになっている。一方、止め具２９１の筒状の上部にはネジ孔３０６が形成され、このネジ孔３０６には押しネジ３０７が装着されている。
【０１１８】
図３３は、本発明の第１３実施形態による装身具を示す内部斜視図である。この図３３に示すように、装身具本体着脱用筒部３０２内には内部リング３０８が設けられている。この内部リング３０８は、下方に配置した圧縮コイルバネ３０９により上方に付勢されるとともに、上方配置の押しネジ３０７により下方に押し下げ移動できるようになっている。すなわち、内部リング３０８は圧縮コイルバネ３０９の弾性力によって外向き（図３３の上方）に付勢され、装身具本体２４の一端側６１は内部リング３０８によって内側から外向きに押圧される。。したがって、装身具本体２４の一端側６１は止め具８１内に固定される。
【０１１９】
固定を解く場合には、押しネジ３０７を下方に押し込む操作を行うことによって、装身具本体３００の一端側６１への当接力を弱め、装身具本体２４の一端側６１への圧接力を解除すればよい。これにより、装身具本体２４の一端側６１を止め具３０１に挿入したり離脱することができる。
【０１２０】
このように、止め具３０１を用いて止められた装身具本体２４は、内部の磁石による吸磁力で接着状態とされたうえ、止め具５１の保持力によって、確実に周方向への離脱が防止される。したがって、不意の脱落等による紛失のおそれがなく、また装着者の外部からの引き剥がし等によっては外れることがないため盗難防止等も一層確実に防止することができる。なお、装着者が身体から装身具本体２４を外す場合には、押しネジ３０７を緩めて止め具３００の内面から装身具本体２４の一端側６１を軸方向に引抜くだけで、簡単に装身具本体２４を外すことができる。
［第１４実施形態（図３４、図３５）］
図３４は、本発明の第１４実施形態による装身具を示す斜視図である。この図３２に示すように、本実施形態の止め具３２１は金属または樹脂等を素材として型成形したもので、側面視ほぼ「８」の字状に形成されている。この止め具３２１の止め具本体３２０は、中央部３２２を介して互いに連結された半円筒状の装身具本体着脱用筒部３２３と、予め装身具本体２４の一端側６２に固定された円筒状の固定筒部３２４とにより構成されている。
【０１２１】
装身具本体着脱用筒部３２３の内部には一方の空間（通し部）３２５が形成されており、この一方の空間３２５の曲率半径は装身具本体２４の一端側および一端側外キャップ２６よりも大径となっている。これにより、装身具本体着脱用筒部３２３の内部には、装身具本体２４の一端側６１を自由に挿入したり引抜きすることができる。一方、固定筒部３２４の他方の空間３２６は、装身具本体着脱用筒部３２３の一方の空間３２５よりも小径となっており、他方の空間３２６の径は装身具本体２４の一端側６２の外径とほぼ一致している。
【０１２２】
そして、装身具本体着脱用筒部３２３にはネジ孔３２７が設けられ、ネジ孔３２７には締付けネジ３３１が側方からねじ込まれている。すなわち、締付けネジ３３１は大径な頭部３３２とその中心から突出するネジ部３３３を有し、頭部３３２を人手によって回転操作することにより、ねじ込んだり、引抜くことができる。
【０１２３】
図３５は、図３４に示した止め具１５１の軸直角断面図である。この図３５に示すように、装身具本体着脱用筒部３２３の径と固定筒部３２４の径とは互いにほぼ等しい。この止め具３２１の固定筒部３２４の内周面側には、上述の締付けネジ３３１のネジ部３３３が突入している。この締付けネジ３３１のネジ部３３３の先端には幅広な押し板が設けられている。この押し板４は装身具本体２４を押付けて装身具本体着脱用筒部３２３の内面に圧接させることができる。
【０１２４】
このような構成によれば、装身具本体２４を止め具１５１内に着脱可能に挿入し、締付けネジ３３１を回転操作するだけで、装身具本体２４の一端側６１を止め具３２１に装着したり、取外すことが容易に行える。また、止め具３２１を用いて止められた装身具本体２４は、内部の磁石による吸磁力で接着状態とされたうえ、眼鏡形をした止め具３２１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
［第１５実施形態（図３６）］
図３６は、本発明の第１５実施形態による装身具を示す斜視図である。図３６に示すように、本実施形態の止め具３６１では、上述の装身具本体着脱用筒部に換えて数珠状紐体３７１が適用されている。
【０１２５】
まず、止め具本体３６０は金属または樹脂等を素材とする板状部材を上述の固定筒部として構成され、装身具本体２４の端部にリング状に巻きつけられている。この止め具本体３６０には止めリング３６４が取付けられ、この止めリング３６４に数珠状紐体３７１が装着されている。
【０１２６】
数珠状紐体３７１は、一端側において可撓性の紐３７３に一定間隔で玉３７２を装着した構成とされている。玉３７２は例えば弾性を有する材料によって構成されており、止めリング３６４の内径とほぼ同一の外径を有し、一定以上の力で引張った場合に止めリング３６４を通過でき、一体以下の力では止めリング３６４から抜けない構成となっている。また、数珠状紐体３７１の一端には止めリング３６４の内径よりも大径な端板３７４が設けられ、他端側は止めリング３６４に固着されている。
【０１２７】
このような構成において、装身具本体２４に止め具３６１を装着する場合には、数珠状紐体３７１を装身具本体２４の外径よりも大きく開口するように湾曲させ、止めリング３６４との間の開口部分に装身具本体の一端側６１を通し、数珠状紐体３７１で外周側から押えるようにする。
【０１２８】
装身具本体の一端側６１を取外す場合には、数珠状紐体を装身具本体の外径よりも大きく開口するように湾曲させ、装身具本体の一端側６１を引出せばよい。
【０１２９】
このような構成によれば、数珠状紐体３７１を操作するだけで、装身具本体２４の一端側６１を止め具本体３６０に装着したり、取外すことが容易に行える。また、止め具３６１を用いて止められた装身具本体２４は、内部の磁石による吸磁力で接着状態とされたうえ、眼鏡形をした止め具３６１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
［第１６実施形態（図３７、図３８）］
図３７（Ａ）は、本発明の第１６実施形態による装身具を示す斜視図であり、図３７（Ｂ）は部品説明図である。まず、図３７（Ａ）に示すように本実施形態の止め具３８１は金属または樹脂等を素材として型成形したもので、側面視ほぼ「８」の字状に形成されている。この止め具３８１の止め具本体３８０は、中央部３８３を介して互いに連結された円筒状の装身具本体着脱用筒部３８２と、予め装身具本体２４の一端側６２に固定された円筒状の固定筒部３８４により構成されている。
【０１３０】
装身具本体着脱用筒部３８２の内部には一方の空間（通し部）３８５が形成されており、この一方の空間３８５の曲率半径は装身具本体２４の一端側および一端側外キャップ２６よりも大径となっている。これにより、装身具本体着脱用筒部３８２の内部には、装身具本体２４の一端側６１を自由に挿入したり引抜きすることができる。一方、固定筒部３８４の他方の空間３５６は、装身具本体着脱用筒部３８２の一方の空間３８５よりも小径となっており、他方の空間３８６の径は装身具本体２４の一端側６２の外径とほぼ一致している。
【０１３１】
そして、固定筒部３８４内には装身具本体２４の一端側６２および外キャップ２７が予め挿通されて、固定されている。一方、装身具本体着脱用筒部３８２の内部にはバネ部材３９０が設けられている。
【０１３２】
図３７（Ｂ）は、バネ部材３９０の構成を拡大して示している。この図３７（Ｂ）に示すように、バネ部材３９０は平板３９１の切り抜き加工等によりバネ板３９３を形成し、、バネ板３９３を切欠孔３９２内にて板厚方向に撓むことができるようにしてある。
【０１３３】
図３８は、図３７に示した止め具３８１の軸直角断面図である。この図３８に示すように、装身具本体着脱用筒部３８２の内周面には、上述のバネ部材１３１が収納されている。このような構成のバネ部材３９１により、装身具本体２４の一端側を装身具本体着脱用筒部３８２の内部に挿入した場合に、バネ板３９３の弾性力によって装身具本体２４の一端側６１を任意の長さだけ装身具本体着脱用筒部３８２の内部に押圧保持することができる。また、装身具本体着脱用筒部３８２に装身具本体２４の他端側６１を挿入させた場合に、バネ板３９３の弾性力によって装身具本体２４の他端側６２を任意の長さだけ装身具本体着脱用筒部３８２の内部に押圧保持することができる。
【０１３４】
このような構成によれば、何らの特別な操作を必要とせず、装身具本体２４を止め具３８１内に着脱可能に挿入するだけで、装身具本体２４の一端側６１を止め具３８１に装着したり、取外すことが容易に行える。また、止め具３８１を用いて止められた装身具本体２４は、内部の磁石による吸磁力で接着状態とされたうえ、眼鏡形をした止め具３８１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
［第１７実施形態（図３９、図４０）］
図３９は、本発明の第１７実施形態による装身具を示す斜視図である。この図３９に示すように、本実施形態の止め具４０１は金属または樹脂等を素材として型成形された四角筒状の装身具本体着脱用筒部４００と、予め装身具本体２４の一端側６２に固定された円筒状の固定筒部４０７とにより構成されている。
【０１３５】
装身具本体着脱用筒部４００の内部には一方の空間（通し部）４０６が形成されており、この一方の空間４０６は装身具本体２４の一端側６１および一端側外キャップ２６よりも大径となっている。これにより、装身具本体着脱用筒部４００の内部には、装身具本体２４の一端側６１を自由に挿入したり引抜きすることができる。一方、固定筒部４０７の他方の空間４０８は、装身具本体着脱用筒部４００の一方の空間４０６よりも小径となっており、他方の空間４０８の径は装身具本体２４の一端側６２の外径とほぼ一致している。
【０１３６】
そして、固定筒部４０７内には装身具本体２４の一端側６２および外キャップ２７が予め挿通されて、固定されている。すなわち、本実施形態の止め具４０１では、固定筒部４０７の他方の空間４０８内に装身具本体２４の一端側６２および外キャップ２７が挿通固定されており、装身具本体着脱用筒部４００の一方の空間４０６には、装身具本体２４の外キャップ２６が挿入および引抜き可能な状態で挿通できるようになっている。
【０１３７】
一方、装身具本体着脱用筒部４００は、図３９において、上片４０２，側片（左側片）４０３，下片４０４および側片（右側片）４０５を有している。装身具本体着脱用筒部４００の内部は空間（通し部）４０６とされており、この空間（通し部）４０６には、装身具本体２４の一端側６１を着脱可能に挿通できるようになっている。
【０１３８】
そして、装身具本体着脱用筒部４００の互いに対向する側片（左側片）４０３と側片（右側片）４０５には、所定角度傾斜した傾斜孔４０９，４１０が開けられている。そして、傾斜孔４０９と傾斜孔４１０には、１本の止めピン４１１が挿通されている。この止めピン４１１は、傾斜孔４０９と傾斜孔４１０に挿通される長さの軸部４１３を有し、この軸部４１３の各先端は、それぞれ側片（左側片）４０３と側片（右側片）４０５の外側に突出している。この軸部４１３の各端の突出部分に大径な頭部４１２と頭部４１４が一体に設けられている。傾斜孔４０９と傾斜孔４１０は対象形状の長孔であり、この孔の高さ，長さおよび傾斜角はすべて同一となっている。
【０１３９】
図４０は、図３９に示した止め具４０１の軸直角断面図である。この図４０に示すように、傾斜孔４０９と傾斜孔４１０８の低い方の端部の高さは装身具本体２４の一端側６１の頂部よりも低い位置に形成されている。また、傾斜孔４０９と傾斜孔４１０の高い方の端部の高さは装身具本体２４の一端側６１の頂部よりも低い位置に形成されている。
【０１４０】
したがって、使用時には図４０に示すように装身具本体２４の一端側６１を傾斜孔４０９と傾斜孔４１０の低い方から高い方（図４０の左方）に向って挿入すると頭部４１２が押上げられてスムーズに挿入できる。一方、逆に装身具本体２４の一端側６１を傾斜孔４０９と傾斜孔４１０の高い方から低い方（図４０の右方）に向って引張ると、頭部４１２が摩擦力で低い方に連動するため、頭部４１２が装身具本体２４の一端側６１を下方に押圧するようになり、装身具本体２４の抜けを防止することができる。
【０１４１】
本実施形態によれば、装身具本体２４を止め具４０１内に着脱可能に挿入するだけで、装身具本体２４の一端側６１を止め具４０１に装着したり、取外すことが容易に行える。また、止め具４０１を用いて止められた装身具本体２４は、内部の磁石による吸磁力で接着状態とされたうえ、止め具４０１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
［第１８実施形態（図４１、図４２）］
図４１は、本発明の第１８実施形態による装身具を示す斜視図である。図４１は、本発明の第１８実施形態による装身具を示す斜視図である。この図４１に示すように、本実施形態の止め具４２１は金属または樹脂等を素材として型成形したものである。この止め具４２１の止め具本体４２０は、側面視ほぼ弓形に形成された装身具本体着脱用筒部４２３と、円筒状に形成された固定筒部４２４とを胴部４２２によって連結した構成となっている。
【０１４２】
装身具本体着脱用筒部４２３の凹面側には一方の空間（通し部）４２６が形成されており、この一方の空間４２６の湾曲径は装身具本体２４の一端側および一端側外キャップ２６よりも大径となっている。これにより、装身具本体着脱用筒部４２３の内部には、装身具本体２４の一端側を自由に挿入したり引抜きすることができる。一方、固定筒部４２４の空間４２５は、装身具本体着脱用筒部４２３の空間４２６よりも小径となっており、この空間４２５の径は装身具本体２４の一端側６２の外径とほぼ一致している。
【０１４３】
そして、固定筒部４２４内には装身具本体２４の一端側６２および外キャップ２７が予め挿通されて、固定されている。すなわち、本実施形態の止め具４２１では、固定筒部４２４の空間４２５内に装身具本体２４の一端側６２および外キャップ２７が挿通固定されており、装身具本体着脱用筒部４２３の空間４２６には、装身具本体２４の外キャップ２６が挿入および引抜き可能な状態で挿通できるようになっている。そして、装身具本体着脱用筒部４２３の先端部４２７には、磁石４２７ａが装着されている。
【０１４４】
一方、装身具本体着脱用筒部４２３の上半分は鰐口クリップ状をなし、挟み片としての閉じ板４３１をヒンジ軸４３４によって開閉可能に連結した構成とされている。装身具本体着脱用筒部４２３は一定幅の湾曲片として構成されており、装身具本体２４の一端側の外周面の略半分を外側から押えて止めるための半円弧板状となっている。一方，閉じ板４３１は、装身具本体２４の他端側の略半分を外側から押えて止めるための平板状の閉じ板本体４３５により構成されている。
【０１４５】
装身具本体着脱用筒部４２３の外側端部には、対向するヒンジ耳４２８，４２９が立設され、ヒンジ軸４２８が支持されている。一方、閉じ板４３１のヒンジ端４３４は、ヒンジ軸４３０に支持され、これと反対側の回動端部には磁石４２７ｂが設けられている。
【０１４６】
さらに、装身具本体着脱用筒部４２３の先端部４２７にも磁石４２７ａが設けられている。
【０１４７】
図４２は、装身具本体２４を止め具４２１によって止める場合の使用状態を示す説明図である。この図４２に示すように、装身具本体２４を止め具４２１に通し、閉じ板本体４３５をヒンジ軸４３０を支点として回動し、磁石４２７ａと磁石４２７ｂを吸着させる。
【０１４８】
このような構成によると、装身具本体２４の一端側および他端側を止め具に着脱自在に装着することができる。しかも、止め具４２１を用いて止められた装身具本体２４は、内部の磁石による吸磁力で接着状態とされたうえ、止め具４２１の保持力によって、確実に周方向への離脱が防止される。したがって、不意の脱落等による紛失のおそれがなく、また装着者の外部からの引き剥がし等によっては外れることがないため盗難防止等も一層確実に防止することができる。
【０１４９】
また、本実施形態においては、柔軟性材料により構成されて捩りおよび湾曲ができる紐状のチューブ内に複数の円柱形の金属製磁石を挿入し、これらの磁石のＮ極とＳ極とを円柱の外周面に交互に配置した装身具本体と、この装身具本体の一端側に固定され当該装身具の一端側と他端側とを平行に揃えた状態で他端側を固定することができる止め具とを備えた構成となっている。
【０１５０】
したがって、予め装身具本体２４の一端側６１を挿通固定しておき、装身具使用時には、首等に巻き付けた装身具本体２４の一端側６１を任意の長さ挿通することにより、装身具として所定径のリングとして調整し、装着することができる。
［第１９実施形態（図４３、図４４）］
図４３は、本発明の第１９実施形態による装身具を示す斜視図である。この図４３に示すように、本実施形態の止め具４４１は金属または樹脂等を素材として型成形したもので、側面視ほぼ眼鏡形（「８」の字状）に形成された止め具本体４４０を有している。この止め具本体４４０は、胴部４４２を介して互いに連結された装身具本体着脱用筒部４４３と、予め装身具本体２４の一端側６２に固定された円筒状の固定筒部４４４とにより、一体構成の眼鏡形の枠体を形成している。
【０１５１】
装身具本体着脱用筒部４４３の内部には一方の空間（通し部）４４５が形成されており、この一方の空間４４５の径は装身具本体２４の一端側および一端側外キャップ２６よりも大径となっている。これにより、装身具本体着脱用筒部４４３の内部には、装身具本体の一端側を自由に挿入したり引抜きすることができる。一方、固定筒部４４４の他方の空間４４６は、装身具本体着脱用筒部４４３の一方の空間４４５よりも小径となっており、他方の空間４４６の径は装身具本体２４の一端側６２の外径とほぼ一致している。
【０１５２】
そして、固定筒部４４４内には装身具本体２４の一端側６２および外キャップ２７が予め挿通されて、固定されている。すなわち、本実施形態の止め具４４１では、固定筒部４４４の他方の空間４４６内に装身具本体２４の一端側６２および外キャップ２７が挿通固定されており、装身具本体着脱用筒部４４３の一方の空間４４５には、装身具本体２４の一端側外キャップ２６が挿入および引抜き可能な状態で挿通できるようになっている。そして、装身具本体着脱用筒部４４３の内部には、周方向に等間隔で３個のボール、すなわちボール４５１、ポール４５２およびボール４５３が収納されている。
【０１５３】
図４４は、図４３に示した止め具４４１の軸直角断面図である。この図４４に示すように、装身具本体着脱用筒部４４３の径は固定筒部４４４の径よりも大きい。この止め具４４１の装身具本体着脱用筒部４４３内周面には、周方向に等間隔でポール４５１、４５２、４５３が配置されている。ボール４５１は穴４４８内に収容され、バネ（圧縮コイルバネ）４６１によって装身具本体着脱用筒部４４３の内周側に弾性をもって押圧されている。なお、装身具本体着脱用筒部４４３内における穴４４８の内側端部の径はボール４５１の径よりも小さくなっており、これによりボール４５１は装身具本体着脱用筒部４４３の内方に脱落することはない。穴４４８の装身具本体着脱用筒部４４３外周側は閉塞されており、この閉塞空間にバネ（圧縮コイルバネ）４６１が収納されてボール４５１を装身具本体着脱用筒部４４３の内方に常時押圧するようになっている。
【０１５４】
同様に、ポール４５２は穴４４８内に収容され、バネ（圧縮コイルバネ）４６２によって装身具本体着脱用筒部４４３の内周側に弾性をもって押圧されている。なお、穴４４７の装身具本体着脱用筒部４４３内における端部の径もポール４５２の径より小さくなっており、これによりポール４５２は装身具本体着脱用筒部４４３の内方に脱落することはない。穴４４７の装身具本体着脱用筒部４４３外周側は閉塞されており、この閉塞空間にバネ（圧縮コイルバネ）４６２が収納されてポール４５２を装身具本体着脱用筒部４４３の内方に常時押圧するようになっている。
【０１５５】
さらに同様に、ボール４５３は穴４４８内に収容され、バネ（圧縮コイルバネ）４６３によって装身具本体着脱用筒部４４３の内周側に弾性をもって押圧されている。なお、穴４４９の装身具本体着脱用筒部４４３内における端部の径もボール４５３の径より小さくなっており、これによりボール４５３は装身具本体着脱用筒部４４３の内方に脱落することはない。穴４４９の装身具本体着脱用筒部４４３外周側は閉塞されており、この閉塞空間にバネ（圧縮コイルバネ）４６３が収納されてボール４５３を装身具本体着脱用筒部４４３の内方に常時押圧するようになっている。
【０１５６】
このような構成のボール４５１，４５２，４５３により、装身具本体の一端側を装身具本体着脱用筒部４４３の内部に挿入させた場合に、バネ（圧縮コイルバネ）４６１，４６２，４６３の弾性力によって装身具本体の一端側を任意の長さだけ装身具本体着脱用筒部４４３の内部に挿通させることができる。
【０１５７】
一方、装身具本体着脱用筒部４４３に胴部４４２を介して連結されている固定筒部４４４は、装身具本体着脱用筒部４４３よりも小径であり、装身具本体２４の一端側６２の外径と略同一とされている。そして、この固定筒部４４４の他方の空間（通し部）４４６内には装身具本体２４の一端側６２が予め挿入されて固定されている。
【０１５８】
このように、本実施形態においては、柔軟性材料により構成されて捩りおよび湾曲ができる紐状のチューブ内に複数の円柱形の金属製磁石を挿入し、これらの磁石のＮ極とＳ極とを円柱の外周面に交互に配置した装身具本体と、この装身具本体の一端側に固定され当該装身具の一端側と他端側とを平行に揃えた状態で他端側を固定することができる止め具とを備えた構成となっている。
【０１５９】
したがって、本実施形態によれば、予め装身具本体２４の一端側６２を固定筒部４４４内に挿通固定しておき、装身具使用時には、首等に巻き付けた装身具本体２４の一端側６２を任意の長さ挿通することにより、装身具として所定径のリングとして調整し、装着することができる。
【図面の簡単な説明】
【０１６０】
【図１】本発明の第１実施形態に適用する磁石内臓紐状体を示す分解斜視図である。
【図２】本発明の第１実施形態に適用する磁石内臓紐状体を示す全体断面図である。
【図３】本発明の第１実施形態に適用する装身具本体を示す分解斜視図である。
【図４】本発明の第１実施形態に適用する装身具本体を示す斜視図である。
【図５】図４のＡ−Ａ線断面図である。
【図６】図４のＢ−Ｂ線断面図である。
【図７】本発明の第１実施形態による装身具の止め具を示す斜視図である。
【図８】本発明の第１実施形態による装身具の止め具の使用状態を示す説明図である。
【図９】本発明の第１実施形態による装身具の止め状態を示す説明図である。
【図１０】本発明の第１実施形態による装身具の装着状態の一例を示す説明図である
【図１１】本発明の第１実施形態による装身具の止め構造を示す拡大断面図である。
【図１２】本発明の第２実施形態による装身具を示す斜視図である。
【図１３】本発明の第３実施形態による装身具を示す斜視図である。
【図１４】本発明の第３実施形態による装身具を示す縦断面図である。
【図１５】本発明の第４実施形態による装身具を示す斜視図である。
【図１６】本発明の第５実施形態による装身具を示す斜視図である。
【図１７】本発明の第５実施形態による装身具を示す縦断面図である。
【図１８】本発明の第６実施形態による装身具を示す斜視図である。
【図１９】本発明の第６実施形態による装身具を示す縦断面図である。
【図２０】本発明の第７実施形態による装身具を示す斜視図である。
【図２１】本発明の第７実施形態による装身具を示す縦断面図である。
【図２２】本発明の第８実施形態による装身具を示す斜視図である。
【図２３】本発明の第８実施形態による装身具を示す側面図である。
【図２４】本発明の第９実施形態による装身具を示す斜視図である。
【図２５】本発明の第９実施形態による装身具を示す縦断面図である。
【図２６】本発明の第１０実施形態による装身具を示す斜視図である。
【図２７】本発明の第１０実施形態による装身具を示す縦断面図である。
【図２８】本発明の第１１実施形態による装身具を示す斜視図である。
【図２９】本発明の第１１実施形態による装身具を示す側面図である。
【図３０】本発明の第１２実施形態による装身具を示す斜視図である。
【図３１】本発明の第１２実施形態による装身具を示す側面図である。
【図３２】本発明の第１３実施形態による装身具を示す斜視図である。
【図３３】本発明の第１３実施形態による装身具を示す内部斜視図である。
【図３４】本発明の第１４実施形態による装身具を示す斜視図である。
【図３５】本発明の第１４実施形態による装身具を示す縦断面図である。
【図３６】本発明の第１５実施形態による装身具を示す斜視図である。
【図３７】（Ａ）は本発明の第１６実施形態による装身具を示す斜視図であり、（Ｂ）は部品説明図である。
【図３８】本発明の第１６実施形態による装身具を示す縦断面図である。
【図３９】本発明の第１７実施形態による装身具を示す斜視図である。
【図４０】本発明の第１７実施形態による装身具を示す縦断面図である。
【図４１】本発明の第１８実施形態による装身具を示す斜視図である。
【図４２】本発明の第１８実施形態による装身具を示す側面図である。
【図４３】本発明の第１９実施形態による装身具を示す斜視図である。
【図４４】本発明の第１９実施形態による装身具を示す縦断面図である。
【符号の説明】
【０１６１】
１１  磁石内臓紐状体
１２  チューブ
１３  磁石（一端側）
１４  磁石（他端側）
１５  磁石（中間部）
１６  一端側キャップ
１７  他端側キャップ
１８  チューブの一端側開口部
１９  チューブの他端側開口部
２０  キャップ本体部
２１  挿入部
２２  キャップ本体部
２３  挿入部
２４  装身具本体
２５  外皮（メッシュ部材）
２６  一端側外キャップ
２７  他端側外キャップ
２８  隙間
２９  外皮の一端開口部
３０  外皮の他端開口部
３１  一端側外キャップの開口部
３２  他端側外キャップの開口部
３３  装着者
３４  首
３５  肩
３６  装身具本体の一端側
３７  装身具本体の他端側
３９  一端側止め部
４０  止め具
４１  挟み片
４２  挟み片
４３  ヒンジ軸
４４  他端側止め部
４５  開閉側端部
４６  ヒンジ筒
４７  ヒンジ筒
４８  中間閉じ部
４９  止めピン
５０  ピン軸
５１  大径頭部
５２  一端側止め部
５３  他端側止め部
５４  開閉部
５５  ヒンジ筒
５６  中間閉じ部
５７  ピン受け
５８  ピン軸保持片
５９  ピン軸保持片
６０  開口部
６１  装身具本体の一端側
６２  装身具本体の他端側
６３  装着者
６４  首
６５  肩
７０  止め具
７１  中央部
７２  一端部
７３  他端部
７４  一方の空間（通し部）
７５  他方の空間（通し部）
７６  磁石
７７  磁石
８１  止め具
８２  胴部
８３  一端部
８４  他端部
８５  一方の空間（通し部）
８６  他方の空間（通し部）
９１  内部リング
９２  押しネジ
９３  ネジ孔
９４  内部リング
９５  押しネジ
９６  ネジ孔
９７  圧縮コイルバネ
９８  内面（押え面）
９９  内面（押え面）
１０１  止め具
１０２  止め具本体
１０２ａ  湾曲片
１０２ｂ  中間閉じ部
１０３  数珠状紐体
１０４  湾曲片
１０５  一端部
１０６  他端部
１０７  外側止めリング
１０８  外側止めリング
１０９  紐
１１０  玉
１１１  端板
１１２  紐
１１３  玉
１１４  端板
１１７  内側止めリング
１１８  内側止めリング
１２１  止め具
１２２  胴部
１２３  一端部
１２４  他端部
１２５  一方の空間（通し部）
１２６  他方の空間（通し部）
１３１  バネ部材
１３３  バネ板
１４１  バネ部材
１４２  平板部
１４３  バネ板
１５０  止め具本体
１５１  止め具
１５２  胴部
１５３  一端部
１５４  他端部
１５５  一方の空間（通し部）
１５６  他方の空間（通し部）
１５７  ネジ孔
１５８  ネジ孔
１７１  締付けネジ
１７２  頭部
１７３  ネジ部
１７４  押し板
１８１  締付けネジ
１８２  頭部
１８３  ネジ部
１８４  押し板
１９０  止め具本体
１９１  止め具
１９２  上片
１９３  側片
１９４  下片
１９５  側片
１９６  空間（通し部）
１９７  傾斜孔
１９８  傾斜孔
２０１  止めピン
２０２  軸部
２０３  頭部
２０４  頭部
２１１  止め具
２１２  止め具本体
２１３  湾曲片
２１４  湾曲片
２１５  一端部
２１６  他端部（ヒンジ筒）
２１７  他端部（ヒンジ筒）
２１８  中間閉じ部
２１９  湾曲片
２２０  湾曲片
２２１  閉じ板
２２２  閉じ板本体
２２３  係止爪
２２４  ヒンジ筒
２２８  ヒンジ軸
２３０  止め具本体
２３１  止め具
２３２  上片
２３３  側片
２３４  下片
２３５  側片
２３６  空間（通し部）
２３７  ネジ孔
２４１  締付けネジ
２４３  ネジ部
２４４  頭部
２４５  押し板
２５０  止め具本体
２５１  止め具
２５２  胴部
２５３  一端部
２５４  他端部
２５５  一方の空間（通し部）
２５６  他方の空間（通し部）
２５７  バネ（圧縮コイルバネ）
２５８  バネ（圧縮コイルバネ）
２５９  バネ（圧縮コイルバネ）
２６１  ボール
２６２  ボール
２６３  ボール
２６４  ボール
２６５  ボール
２６６  ボール
２６７  バネ（圧縮コイルバネ）
２６８バネ  （圧縮コイルバネ）
２６９  バネ（圧縮コイルバネ）
２７０  止め具本体
２７１  止め具
２７２  中央部
２７３  装身具本体着脱用筒部
２７４  固定筒部
２７５  一方の空間（通し部）
２７６  他方の空間（通し部）
２７８  頭部
２７９  ネジ部
２８０  ネジ
２８２  ヒンジ耳
２８３  ヒンジ耳
２８４  ヒンジ軸
２８５  閉じ板
２８６  閉じ板本体
２８７  ピン軸保持片
２８８  ピン軸保持片
２８９  開口部
２９０  ヒンジ端
２９１  止め具
２９２  中央部
２９３  装身具本体着脱用筒部
２９４  固定筒部
２９５  磁石保持孔
２９６  磁石
２９７  一方の空間（通し部）
２９８  他方の空間（通し部）
３００  止め具本体
３０１  止め具
３０２  装身具本体着脱用筒部
３０３  固定筒部
３０４  一方の空間（通し部）
３０５  他方の空間（通し部）
３０６  ネジ孔
３０７  押しネジ
３０８  内部リング
３０９  圧縮コイルバネ
３２０  止め具本体
３２１  止め具
３２２  胴部
３２３  装身具本体着脱用筒部
３２４  固定筒部
３２５  一方の空間（通し部）
３２６  他方の空間（通し部）
３２７  ネジ孔
３３１  締付けネジ
３３２  頭部
３３３  ネジ部
３６０  止め具本体
３６１  止め具
３６２  空間（通し部）
３６３  装身具本体着脱用筒部
３６４  止めリング
３７１  数珠状紐体
３７２  玉
３７３  紐
３７４  端板
３８０  止め具本体
３８１  止め具
３８２  装身具本体着脱用筒部
３８３  中央部
３８４  固定筒部
３８５  一方の空間（通し部）
３８６  他方の空間（通し部）
３９０  バネ部材
３９２  孔
４００  装身具本体着脱用筒部
４０１  止め具
４０２  上片
４０３  側片
４０４  下片
４０５  側片
４０６  一方の空間（通し部）
４０７  筒体
４０８  空間（通し部）
４０９  傾斜孔
４１０  傾斜孔
４１１  止めピン
４１２  頭部
４１３  軸部
４１４  頭部
４２０  止め具本体
４２１  止め具
４２２  胴部
４２３  装身具本体着脱用筒部
４２４  固定筒部
４２５  一方の空間（通し部）
４２６  他方の空間（通し部）
４２７  先端部
４２７ａ  磁石
４２７ｂ  磁石
４２８  ヒンジ耳
４２９  ヒンジ耳
４３０  ヒンジ軸
４３１  閉じ板
４３２  開動端
４３４  ヒンジ端
４３５  閉じ板本体
４４０  止め具本体
４４１  止め具
４４２  胴部
４４３  装身具本体着脱用筒部
４４４  固定筒部
４４５  一方の空間（通し部）
４４６  他方の空間（通し部）
４５１  ボール
４５２  ポール
４５３  ボール
４６１  バネ（圧縮コイルバネ）
４６２  バネ（圧縮コイルバネ）
４６３  バネ（圧縮コイルバネ）
【図１】
2007144016.tif 000003
【図２】
2007144016.tif 000004
【図３】
2007144016.tif 000005
【図４】
2007144016.tif 000006
【図５】
2007144016.tif 000007
【図６】
2007144016.tif 000008
【図７】
2007144016.tif 000009
【図８】
2007144016.tif 000010
【図９】
2007144016.tif 000011
【図１０】
2007144016.tif 000012
【図１１】
2007144016.tif 000013
【図１２】
2007144016.tif 000014
【図１３】
2007144016.tif 000015
【図１４】
2007144016.tif 000016
【図１５】
2007144016.tif 000017
【図１６】
2007144016.tif 000018
【図１７】
2007144016.tif 000019
【図１８】
2007144016.tif 000020
【図１９】
2007144016.tif 000021
【図２０】
2007144016.tif 000022
【図２１】
2007144016.tif 000023
【図２２】
2007144016.tif 000024
【図２３】
2007144016.tif 000025
【図２４】
2007144016.tif 000026
【図２５】
2007144016.tif 000027
【図２６】
2007144016.tif 000028
【図２７】
2007144016.tif 000029
【図２８】
2007144016.tif 000030
【図２９】
2007144016.tif 000031
【図３０】
2007144016.tif 000032
【図３１】
2007144016.tif 000033
【図３２】
2007144016.tif 000034
【図３３】
2007144016.tif 000035
【図３４】
2007144016.tif 000036
【図３５】
2007144016.tif 000037
【図３６】
2007144016.tif 000038
【図３７】
2007144016.tif 000039
【図３８】
2007144016.tif 000040
【図３９】
2007144016.tif 000041
【図４０】
2007144016.tif 000042
【図４１】
2007144016.tif 000043
【図４２】
2007144016.tif 000044
【図４３】
2007144016.tif 000045
【図４４】
2007144016.tif 000046
【手続補正書】
【提出日】平成17年12月20日(2005.12.20)
【手続補正１】
【補正対象書類名】図面
【補正対象項目名】図２１
【補正方法】変更
【補正の内容】
【図２１】
2007144016.tif 000047
【手続補正２】
【補正対象書類名】図面
【補正対象項目名】図２７
【補正方法】変更
【補正の内容】
【図２７】
2007144016.tif 000048
【手続補正３】
【補正対象書類名】図面
【補正対象項目名】図３２
【補正方法】変更
【補正の内容】
【図３２】
2007144016.tif 000049
【手続補正４】
【補正対象書類名】図面
【補正対象項目名】図３３
【補正方法】変更
【補正の内容】
【図３３】
2007144016.tif 000050
【手続補正５】
【補正対象書類名】図面
【補正対象項目名】図３７
【補正方法】変更
【補正の内容】
【図３７】
2007144016.tif 000051